(57)【要約】【課題】  市場において指標単価が確定していない分野での指標単価を決定したり、その指標単価に基づいて見積書を作成したりする見積書作成システム、指標単価情報作成装置及び見積書作成装置を提供しようとする。【解決手段】  サービス提供会社１は部材メーカ２から部材の単価や複合品目についての情報を収集し、その情報に基づいて指標単価を指標単価作成装置１００に作成させる。そして、会員３はインターネット５を介して指標単価情報を取得し、見積書作成装置３００において、取得した指標単価情報を参照して見積書を作成する。【選択図】  図１
2006244351.tif 000002
【特許請求の範囲】
【請求項１】
設計図に記載されている設備の工事に掛かる費用を前記設計図に記載されている部材の単価から算出し、前記工事における前記部材に関する作業に伴い工程や付随部材が発生する場合はその工程や付随部材を当該部材の複合品目とし、当該複合品目を構成する前記工程や前記付随部材の単価を前記部材の単価と合計して前記費用を算出することにより、前記費用の見積書を作成する見積書作成システムであって、
前記部材の単価に関する情報であり、前記部材が前記複合品目を有する場合には当該部材の前記複合品目の数量及び単価に関する情報を含む、予め収集された収集単価情報を入力する収集単価情報入力手段と、
当該収集単価情報入力手段により入力された複数の前記収集単価情報を記憶する収集単価情報記憶手段と、
ある前記部材について、前記収集単価情報記憶手段に記憶されている前記収集単価情報から１の前記収集単価情報を採用情報として指定する採用情報指定手段と、
前記部材又は当該部材の前記複合品目について、前記見積書に使用するための１の単価を指標単価として入力する指標単価入力手段と、
前記指標単価入力手段により入力された前記指標単価と前記採用情報指定手段により指定された前記採用情報とに基づき、少なくとも前記部材の単価及び当該部材の前記複合品目の単価及び数量をデータ項目として有する指標単価情報を作成する指標単価情報作成手段と、
当該指標単価情報作成手段により作成された前記指標単価情報を前記部材毎に記憶する指標単価情報記憶手段と、
前記設計図に記載されている前記部材に関する情報であり、少なくとも前記部材を識別する部材識別情報及び当該部材の数量をデータ項目として有する設計情報を記憶する設計情報記憶手段と、
前記設計情報記憶手段に記憶されている前記設計情報の前記部材毎に少なくともその部材識別情報、数量、単価、価格をデータ項目として有した見積書情報を作成し、当該部材の前記部材識別情報及び数量のデータ項目に、前記設計情報記憶手段に記憶されている当該部材の前記部材識別情報及び数量の値を代入する見積書情報作成手段と、
当該見積書情報作成手段により作成された前記見積書情報を記憶する見積書情報記憶手段と、
当該見積書情報記憶手段に記憶されている前記見積書情報に存在する前記部材について、前記指標単価情報記憶手段に記憶されている前記指標単価情報を参照して当該部材に前記複合品目が存在する場合には前記複合品目を前記見積書情報に追加する複合品目追加手段と、
当該見積書情報記憶手段に記憶されている前記見積書情報に存在する前記部材について、前記指標単価情報記憶手段に記憶されている前記指標単価情報を参照して、当該部材及び前記複合品目の単価を前記見積書情報の単価のデータ項目に代入する単価代入手段と、
前記見積書情報の各部材及び前記複合品目の数量と単価とに基づいて当該部材の価格、前記複合品目の価格及び当該部材と前記複合品目との価格をあわせた価格である複合単価を算出し、当該見積書情報記憶手段に記憶されている前記見積書情報の価格のデータ項目に算出した値を記憶する価格算出手段と、
前記見積書情報記憶手段に記憶されている前記見積書情報を外部に出力する外部出力手段と
を備えたことを特徴とする見積書作成システム。
【請求項２】
前記収集単価情報記憶手段に記憶されている前記収集単価情報について、前記部材毎に当該部材の単価、前記工程及び前記付随部材の単価について平均、メディアン、モード、又は、ミッドレンジの少なくとも１つの代表値をそれぞれ算出する代表値算出手段と、
当該代表値算出手段により算出された前記代表値を表示する代表値表示手段とを備え、
前記代表値表示手段による表示を参照しながら前記指標単価入力手段により前記単価を入力できることを特徴とする請求項１に記載の見積書作成システム。
【請求項３】
前記収集単価情報記憶手段に記憶されている前記収集単価情報の前記複合品目の組合せ及び数量に関する情報を表示する複合品目表示手段を備え、
前記複合品目表示手段による表示を参照しながら前記採用情報指定手段により前記採用情報を指定することができることを特徴とする請求項１又は２に記載の見積書作成システム。
【請求項４】
前記収集単価情報記憶手段に記憶されている前記収集単価情報において、所定条件に該当しない異常情報を除外する除外手段を備え、
前記代表値算出手段は当該除外手段により前記異常情報を除外した後に代表値を算出することを特徴とする請求項２に記載の見積書作成システム。
【請求項５】
前記収集単価情報記憶手段に記憶されている前記収集単価情報において、所定条件に該当しない異常情報を除外する除外手段を備え、
前記複合品目表示手段は当該除外手段により前記異常情報を除外した後に前記複合品目の組合せ及び数量に関する情報を表示することを特徴とする請求項３に記載の見積書作成システム。
【請求項６】
前記所定条件は前記部材の単価が予め入力されている基準範囲に含まれることであることを特徴とする請求項４又は５に記載の見積書作成システム。
【請求項７】
前記所定条件は過去の指標単価情報と同一又は近似する単価情報であることを特徴とする請求項４乃至６のいずれかに記載の見積書作成システム。
【請求項８】
第１の装置と第２の装置とがネットワークを介して接続しており、
前記第１の装置は、
前記収集単価情報入力手段と、
前記収集単価情報記憶手段と、
前記採用情報指定手段と、
前記指標単価入力手段と、
前記指標単価情報作成手段と、
前記指標単価情報記憶手段と、
当該指標単価情報記憶手段に記憶されている前記指標単価情報を第２の装置に出力する出力手段と
を備え、
前記第２の装置は、
前記出力手段から出力された前記指標単価情報を入力する入力手段と、
当該入力手段により入力された前記指標単価情報を記憶する第２指標単価情報記憶手段と、
前記設計情報記憶手段と、
前記見積書情報作成手段と、
前記見積書情報記憶手段と、
前記複合品目追加手段と、
前記単価代入手段と、
前記価格算出手段と、
前記外部出力手段と
を備えたことを特徴とする請求項１に記載の見積書作成システム。
【請求項９】
設計図に記載されている設備の工事に掛かる費用の見積書を前記設計図に記載されている部材の単価から算出し、前記工事における前記部材に関する作業に伴い工程や付随部材が発生する場合はその工程や付随部材を当該部材の複合品目とし、当該複合品目を構成する前記工程や前記付随部材の単価を前記部材の単価と合計して前記費用を算出することにより、前記費用の見積書を作成する見積書作成システムで使用される前記部材や前記複合品目の単価に関する情報である指標単価情報を作成する指標単価情報作成装置であって、
前記部材の単価に関する情報であり、前記部材が前記複合品目を有する場合には当該部材の前記複合品目の数量及び単価に関する情報を含む、予め収集された収集単価情報を入力する収集単価情報入力手段と、
当該収集単価情報入力手段により入力された複数の前記収集単価情報を記憶する収集単価情報記憶手段と、
ある前記部材について、前記収集単価情報記憶手段に記憶されている前記収集単価情報から１の前記収集単価情報を採用情報として指定する採用情報指定手段と、
前記部材又は当該部材の前記複合品目について、前記見積書に使用するための１の単価を指標単価として入力する指標単価入力手段と、
前記指標単価入力手段により入力された前記指標単価と前記採用情報指定手段により指定された前記採用情報とに基づき、少なくとも前記部材の単価及び当該部材の前記複合品目の単価及び数量をデータ項目として有する前記指標単価情報を作成する指標単価情報作成手段と、
当該指標単価情報作成手段により作成された前記指標単価情報を前記部材毎に記憶する指標単価情報記憶手段と
を備えたことを特徴とする指標単価情報作成装置。
【請求項１０】
設計図に記載されている設備の工事に掛かる費用の見積書を前記設計図に記載されている部材の単価から算出し、前記工事における前記部材に関する作業に伴い工程や付随部材が発生する場合はその工程や付随部材を当該部材の複合品目とし、当該複合品目を構成する前記工程や前記付随部材の単価を前記部材の単価と合計して前記費用を算出することにより、前記費用の見積書を作成する見積書作成装置であって、
前記部材の単価に関する情報であり、前記部材が前記複合品目を有する場合には当該部材の前記複合品目の数量及び単価に関する情報を含む前記指標単価情報を前記部材毎に記憶する指標単価情報記憶手段と、
前記設計図に記載されている前記部材に関する情報であり、少なくとも前記部材を識別する部材識別情報及び当該部材の数量をデータ項目として有する設計情報を記憶する設計情報記憶手段と、
前記設計情報記憶手段に記憶されている前記設計情報の前記部材毎に少なくともその部材識別情報、数量、単価、価格をデータ項目として有した見積書情報を作成し、当該部材の前記部材識別情報及び数量のデータ項目に、前記設計情報記憶手段に記憶されている当該部材の前記部材識別情報及び数量の値を代入する見積書情報作成手段と、
当該見積書情報作成手段により作成された前記見積書情報を記憶する見積書情報記憶手段と、
当該見積書情報記憶手段に記憶されている前記見積書情報に存在する前記部材について、前記指標単価情報記憶手段に記憶されている前記指標単価情報を参照して当該部材に前記複合品目が存在する場合には前記複合品目を前記見積書情報に追加する複合品目追加手段と、
当該見積書情報記憶手段に記憶されている前記見積書情報に存在する前記部材について、前記指標単価情報記憶手段に記憶されている前記指標単価情報を参照して、当該部材及び前記複合品目の単価を前記見積書情報の単価のデータ項目に代入する単価代入手段と、
前記見積書情報の各部材及び前記複合品目の数量と単価とに基づいて当該部材の価格、前記複合品目の価格及び当該部材と前記複合品目との価格をあわせた価格である複合単価を算出し、当該見積書情報記憶手段に記憶されている前記見積書情報の価格のデータ項目に算出した値を記憶する価格算出手段と、
前記見積書情報記憶手段に記憶されている前記見積書情報を外部に出力する外部出力手段と
を備えたことを特徴とする見積書作成装置。
【発明の詳細な説明】
【技術分野】
【０００１】
本発明は見積書作成システム、指標単価情報作成装置、及び、見積書作成装置に関し、詳細には、市場において指標単価が確定していない分野での指標単価を決定したり、その指標単価に基づいて見積書を作成したりする見積書作成システム、指標単価情報作成装置及び見積書作成装置に関する。
【背景技術】
【０００２】
従来、何らかの商品の販売やサービスへの対価の見積書を作成する種々のシステムが提供されている。例えば、特許文献１に記載の発明では、印刷物の見積についての提案がなされており、特許文献２に記載の発明では、情報通信系のシステム構築に関する見積書の作成についての提案がなされいる。見積書を作成する場合には、物品の販売や単なるサービスの提供のように、販売する物品やサービスの対価のみで見積もりが可能な場合については、それらの対価の情報のみを有していれば比較的簡単に見積もりを行うことができる。しかしながら、建築などの工事の見積もりにおいては、単に使用される部材等材料の単価のみで見積もりが行われるのではなく、それらの部材を設置、加工する労務費等が必要となってくる。そこで、複合単価という考えが見積書において採用されている。そこで、特許文献３に記載の発明では、建築物の見積もりにおける複合単価の算出方法について提案されている。また、建築物に関しては、複合単価の算出基準となる指標単価が財団法人建設物価調査会や財団法人経済調査会などから刊行され、公表されている。
【特許文献１】特開２００３−２２３５７５号公報
【特許文献２】特開２００３−３３１０６９号公報
【特許文献３】特開２００１−７６０３９公報
【発明の開示】
【発明が解決しようとする課題】
【０００３】
しかしながら、情報通信系のシステム構築や施設整備などでは、建築物の見積もりと同様に複合単価が用いられるが、機器の価格変動が激しかったり、労務費が会社によりまちまちであったり、その内容も多岐にわたることがから一般的な指標価格が公表されていないのが現状である。したがって、情報通信系のシステム構築や施設整備などの見積もりを行う場合には、まずその指標となる単価を入手することが重要となる。
【０００４】
本発明は、上述の問題点を解決するためになされたものであり、市場において指標単価が確定していない分野での指標単価を決定したり、その指標単価に基づいて見積書を作成したりする見積書作成システム、指標単価情報作成装置及び見積書作成装置を提供しようとするものである。
【課題を解決するための手段】
【０００５】
上記課題を解決するため、請求項１に係る発明の見積書作成システムでは、設計図に記載されている設備の工事に掛かる費用を前記設計図に記載されている部材の単価から算出し、前記工事における前記部材に関する作業に伴い工程や付随部材が発生する場合はその工程や付随部材を当該部材の複合品目とし、当該複合品目を構成する前記工程や前記付随部材の単価を前記部材の単価と合計して前記費用を算出することにより、前記費用の見積書を作成する見積書作成システムであって、前記部材の単価に関する情報であり、前記部材が前記複合品目を有する場合には当該部材の前記複合品目の数量及び単価に関する情報を含む、予め収集された収集単価情報を入力する収集単価情報入力手段と、当該収集単価情報入力手段により入力された複数の前記収集単価情報を記憶する収集単価情報記憶手段と、ある前記部材について、前記収集単価情報記憶手段に記憶されている前記収集単価情報から１の前記収集単価情報を採用情報として指定する採用情報指定手段と、前記部材又は当該部材の前記複合品目について、前記見積書に使用するための１の単価を指標単価として入力する指標単価入力手段と、前記指標単価入力手段により入力された前記指標単価と前記採用情報指定手段により指定された前記採用情報とに基づき、少なくとも前記部材の単価及び当該部材の前記複合品目の単価及び数量をデータ項目として有する指標単価情報を作成する指標単価情報作成手段と、当該指標単価情報作成手段により作成された前記指標単価情報を前記部材毎に記憶する指標単価情報記憶手段と、前記設計図に記載されている前記部材に関する情報であり、少なくとも前記部材を識別する部材識別情報及び当該部材の数量をデータ項目として有する設計情報を記憶する設計情報記憶手段と、前記設計情報記憶手段に記憶されている前記設計情報の前記部材毎に少なくともその部材識別情報、数量、単価、価格をデータ項目として有した見積書情報を作成し、当該部材の前記部材識別情報及び数量のデータ項目に、前記設計情報記憶手段に記憶されている当該部材の前記部材識別情報及び数量の値を代入する見積書情報作成手段と、当該見積書情報作成手段により作成された前記見積書情報を記憶する見積書情報記憶手段と、当該見積書情報記憶手段に記憶されている前記見積書情報に存在する前記部材について、前記指標単価情報記憶手段に記憶されている前記指標単価情報を参照して当該部材に前記複合品目が存在する場合には前記複合品目を前記見積書情報に追加する複合品目追加手段と、当該見積書情報記憶手段に記憶されている前記見積書情報に存在する前記部材について、前記指標単価情報記憶手段に記憶されている前記指標単価情報を参照して、当該部材及び前記複合品目の単価を前記見積書情報の単価のデータ項目に代入する単価代入手段と、前記見積書情報の各部材及び前記複合品目の数量と単価とに基づいて当該部材の価格、前記複合品目の価格及び当該部材と前記複合品目との価格をあわせた価格である複合単価を算出し、当該見積書情報記憶手段に記憶されている前記見積書情報の価格のデータ項目に算出した値を記憶する価格算出手段と、前記見積書情報記憶手段に記憶されている前記見積書情報を外部に出力する外部出力手段とを備えたことを特徴とする構成となっている。
【０００６】
また、請求項２に係る発明の見積書作成システムでは、請求項１に記載の発明の構成に加えて、前記収集単価情報記憶手段に記憶されている前記収集単価情報について、前記部材毎に当該部材の単価、前記工程及び前記付随部材の単価について平均、メディアン、モード、又は、ミッドレンジの少なくとも１つの代表値をそれぞれ算出する代表値算出手段と、当該代表値算出手段により算出された前記代表値を表示する代表値表示手段とを備え、前記代表値表示手段による表示を参照しながら前記指標単価入力手段により前記単価を入力できることを特徴とする構成となっている。
【０００７】
また、請求項３に係る発明の見積書作成システムでは、請求項１又は２に記載の発明の構成に加えて、前記収集単価情報記憶手段に記憶されている前記収集単価情報の前記複合品目の組合せ及び数量に関する情報を表示する複合品目表示手段を備え、前記複合品目表示手段による表示を参照しながら前記採用情報指定手段により前記採用情報を指定することができることを特徴とする構成となっている。
【０００８】
また、請求項４に係る発明の見積書作成システムでは、請求項２に記載の発明の構成に加えて、前記収集単価情報記憶手段に記憶されている前記収集単価情報において、所定条件に該当しない異常情報を除外する除外手段を備え、前記代表値算出手段は当該除外手段により前記異常情報を除外した後に代表値を算出することを特徴とする構成となっている。
【０００９】
また、請求項５に係る発明の見積書作成システムでは、請求項３に記載の発明の構成に加えて、前記収集単価情報記憶手段に記憶されている前記収集単価情報において、所定条件に該当しない異常情報を除外する除外手段を備え、前記複合品目表示手段は当該除外手段により前記異常情報を除外した後に前記複合品目の組合せ及び数量に関する情報を表示することを特徴とする構成となっている。
【００１０】
また、請求項６に係る発明の見積書作成システムでは、請求項４又は５に記載の発明の構成に加えて、前記所定条件は前記部材の単価が予め入力されている基準範囲に含まれることであることを特徴とする構成となっている。
【００１１】
また、請求項７に係る発明の見積書作成システムでは、請求項４乃至６のいずれかに記載の発明の構成に加えて、前記所定条件は過去の指標単価情報と同一又は近似する単価情報であることを特徴とする構成となっている。
【００１２】
また、請求項８に係る発明の見積書作成システムでは、請求項１に記載の発明の構成に加えて、第１の装置と第２の装置とがネットワークを介して接続しており、前記第１の装置は、前記収集単価情報入力手段と、前記収集単価情報記憶手段と、前記採用情報指定手段と、前記指標単価入力手段と、前記指標単価情報作成手段と、前記指標単価情報記憶手段と、当該指標単価情報記憶手段に記憶されている前記指標単価情報を第２の装置に出力する出力手段とを備え、前記第２の装置は、前記出力手段から出力された前記指標単価情報を入力する入力手段と、当該入力手段により入力された前記指標単価情報を記憶する第２指標単価情報記憶手段と、前記設計情報記憶手段と、前記見積書情報作成手段と、前記見積書情報記憶手段と、前記複合品目追加手段と、前記単価代入手段と、前記価格算出手段と、前記外部出力手段とを備えたことを特徴とする構成となっている。
【００１３】
また、請求項９に係る発明の指標単価情報作成装置では、設計図に記載されている設備の工事に掛かる費用の見積書を前記設計図に記載されている部材の単価から算出し、前記工事における前記部材に関する作業に伴い工程や付随部材が発生する場合はその工程や付随部材を当該部材の複合品目とし、当該複合品目を構成する前記工程や前記付随部材の単価を前記部材の単価と合計して前記費用を算出することにより、前記費用の見積書を作成する見積書作成システムで使用される前記部材や前記複合品目の単価に関する情報である指標単価情報を作成する指標単価情報作成装置であって、前記部材の単価に関する情報であり、前記部材が前記複合品目を有する場合には当該部材の前記複合品目の数量及び単価に関する情報を含む、予め収集された収集単価情報を入力する収集単価情報入力手段と、当該収集単価情報入力手段により入力された複数の前記収集単価情報を記憶する収集単価情報記憶手段と、ある前記部材について、前記収集単価情報記憶手段に記憶されている前記収集単価情報から１の前記収集単価情報を採用情報として指定する採用情報指定手段と、前記部材又は当該部材の前記複合品目について、前記見積書に使用するための１の単価を指標単価として入力する指標単価入力手段と、前記指標単価入力手段により入力された前記指標単価と前記採用情報指定手段により指定された前記採用情報とに基づき、少なくとも前記部材の単価及び当該部材の前記複合品目の単価及び数量をデータ項目として有する前記指標単価情報を作成する指標単価情報作成手段と、当該指標単価情報作成手段により作成された前記指標単価情報を前記部材毎に記憶する指標単価情報記憶手段とを備えたことを特徴とする構成となっている。
【００１４】
また、請求項１０に係る発明の見積書作成装置では、設計図に記載されている設備の工事に掛かる費用の見積書を前記設計図に記載されている部材の単価から算出し、前記工事における前記部材に関する作業に伴い工程や付随部材が発生する場合はその工程や付随部材を当該部材の複合品目とし、当該複合品目を構成する前記工程や前記付随部材の単価を前記部材の単価と合計して前記費用を算出することにより、前記費用の見積書を作成する見積書作成装置であって、前記部材の単価に関する情報であり、前記部材が前記複合品目を有する場合には当該部材の前記複合品目の数量及び単価に関する情報を含む前記指標単価情報を前記部材毎に記憶する指標単価情報記憶手段と、前記設計図に記載されている前記部材に関する情報であり、少なくとも前記部材を識別する部材識別情報及び当該部材の数量をデータ項目として有する設計情報を記憶する設計情報記憶手段と、前記設計情報記憶手段に記憶されている前記設計情報の前記部材毎に少なくともその部材識別情報、数量、単価、価格をデータ項目として有した見積書情報を作成し、当該部材の前記部材識別情報及び数量のデータ項目に、前記設計情報記憶手段に記憶されている当該部材の前記部材識別情報及び数量の値を代入する見積書情報作成手段と、当該見積書情報作成手段により作成された前記見積書情報を記憶する見積書情報記憶手段と、当該見積書情報記憶手段に記憶されている前記見積書情報に存在する前記部材について、前記指標単価情報記憶手段に記憶されている前記指標単価情報を参照して当該部材に前記複合品目が存在する場合には前記複合品目を前記見積書情報に追加する複合品目追加手段と、当該見積書情報記憶手段に記憶されている前記見積書情報に存在する前記部材について、前記指標単価情報記憶手段に記憶されている前記指標単価情報を参照して、当該部材及び前記複合品目の単価を前記見積書情報の単価のデータ項目に代入する単価代入手段と、前記見積書情報の各部材及び前記複合品目の数量と単価とに基づいて当該部材の価格、前記複合品目の価格及び当該部材と前記複合品目との価格をあわせた価格である複合単価を算出し、当該見積書情報記憶手段に記憶されている前記見積書情報の価格のデータ項目に算出した値を記憶する価格算出手段と、前記見積書情報記憶手段に記憶されている前記見積書情報を外部に出力する外部出力手段とを備えたことを特徴とする構成となっている。
【発明の効果】
【００１５】
請求項１に係る発明の見積書作成システムでは、収集単価情報入力手段は、部材の単価に関する情報であり、部材が複合品目を有する場合には部材の複合品目の数量及び単価に関する情報を含む、予め収集された収集単価情報を入力し、収集単価情報記憶手段は、収集単価情報入力手段により入力された複数の収集単価情報を記憶し、採用情報指定手段は、ある部材について、収集単価情報記憶手段に記憶されている収集単価情報から１の収集単価情報を採用情報として指定し、指標単価入力手段は、部材又は部材の複合品目について、見積書に使用するための１の単価を指標単価として入力し、指標単価情報作成手段は、指標単価入力手段により入力された指標単価と採用情報指定手段により指定された採用情報とに基づき、少なくとも部材の単価及び部材の複合品目の単価及び数量をデータ項目として有する指標単価情報を作成し、指標単価情報記憶手段は、指標単価情報作成手段により作成された指標単価情報を部材毎に記憶し、設計情報記憶手段は、設計図に記載されている部材に関する情報であり、少なくとも部材を識別する部材識別情報及び部材の数量をデータ項目として有する設計情報を記憶し、見積書情報作成手段は、設計情報記憶手段に記憶されている設計情報の部材毎に少なくともその部材識別情報、数量、単価、価格をデータ項目として有した見積書情報を作成し、部材の部材識別情報及び数量のデータ項目に、設計情報記憶手段に記憶されている部材の部材識別情報及び数量の値を代入し、見積書情報記憶手段は、見積書情報作成手段により作成された見積書情報を記憶し、複合品目追加手段は、見積書情報記憶手段に記憶されている見積書情報に存在する部材について、指標単価情報記憶手段に記憶されている指標単価情報を参照して部材に複合品目が存在する場合には複合品目を見積書情報に追加し、単価代入手段は、見積書情報記憶手段に記憶されている見積書情報に存在する部材について、指標単価情報記憶手段に記憶されている指標単価情報を参照して、部材及び複合品目の単価を見積書情報の単価のデータ項目に代入し、価格算出手段は、見積書情報の各部材及び複合品目の数量と単価とに基づいて部材の価格、複合品目の価格及び部材と複合品目との価格をあわせた価格である複合単価を算出し、見積書情報記憶手段に記憶されている見積書情報の価格のデータ項目に算出した値を記憶し、外部出力手段は、見積書情報記憶手段に記憶されている見積書情報を外部に出力することができる。したがって、収集された部材又は部材の複合品目についての価格の情報から適切な指標価格を採用、決定して、見積書作成に用いることができる。また、見積書作成においては、設計図に記載されている部材について、複合品目が存在する場合にも、その費用を反映させて見積もりを行うことができる。
【００１６】
また、請求項２に係る発明の見積書作成システムでは、請求項１に記載の発明の効果に加えて、代表値算出手段は、収集単価情報記憶手段に記憶されている収集単価情報について、部材毎に部材の単価、工程及び付随部材の単価について平均、メディアン、モード、又は、ミッドレンジの少なくとも１つの代表値をそれぞれ算出し、代表値表示手段は、代表値算出手段により算出された代表値を表示することができる。また、代表値表示手段による表示を参照しながら指標単価入力手段により単価を入力できる。したがって、指標単価を決定する際に、統計的な値を参考にすることができるので、妥当な指標単価を決定するのに役立つ。
【００１７】
また、請求項３に係る発明の見積書作成システムでは、請求項１又は２に記載の発明の効果に加えて、複合品目表示手段は、収集単価情報記憶手段に記憶されている収集単価情報の複合品目の組合せ及び数量に関する情報を表示することができる。また、複合品目表示手段による表示を参照しながら採用情報指定手段により採用情報を指定することができる。したがって、指標単価を決定する際に収集された収集単価情報を参照することができるので、妥当な指標単価を決定するのに役立つ。
【００１８】
また、請求項４に係る発明の見積書作成システムでは、請求項２に記載の発明の効果に加えて、除外手段は、収集単価情報記憶手段に記憶されている収集単価情報において、所定条件に該当しない異常情報を除外することができる。また、代表値算出手段は除外手段により異常情報を除外した後に代表値を算出することができる。したがって、代表値を算出する際に異常な値が関与しないので、より有用な代表値を得ることができる。
【００１９】
また、請求項５に係る発明の見積書作成システムでは、請求項３に記載の発明の効果に加えて、除外手段は、収集単価情報記憶手段に記憶されている収集単価情報において、所定条件に該当しない異常情報を除外することができる。また、複合品目表示手段は除外手段により異常情報を除外した後に複合品目の組合せ及び数量に関する情報を表示することができる。したがって、指標単価の決定に有用でない収集単価情報に惑わされることがない。
【００２０】
また、請求項６に係る発明の見積書作成システムでは、請求項４又は５に記載の発明の効果に加えて、所定条件は部材の単価が予め入力されている基準範囲に含まれることとすることができる。したがって、経験から判断される妥当な基準範囲を設定することにより、より有用な代表値を算出したり、より有用な収集単価情報のみを表示させたりすることができる。
【００２１】
また、請求項７に係る発明の見積書作成システムでは、請求項４乃至６のいずれかに記載の発明の効果に加えて、所定条件は過去の指標単価情報と同一又は近似する単価情報とすることができる。したがって、過去の指標単価情報と同一のものや近いものから決定することができるので、新たな収集単価情報を収集して指標単価を決定する場合には、大きな市場価格の変化がない場合に有用である。
【００２２】
また、請求項８に係る発明の見積書作成システムでは、請求項１に記載の発明の効果に加えて、第１の装置と第２の装置とがネットワークを介して接続しており、第１の装置は、収集単価情報入力手段と、収集単価情報記憶手段と、採用情報指定手段と、指標単価入力手段と、指標単価情報作成手段と、指標単価情報記憶手段と、指標単価情報記憶手段に記憶されている指標単価情報を第２の装置に出力する出力手段とを備えることができる。そして、第２の装置は、出力手段から出力された指標単価情報を入力する入力手段と、入力手段により入力された指標単価情報を記憶する第２指標単価情報記憶手段と、設計情報記憶手段と、見積書情報作成手段と、見積書情報記憶手段と、複合品目追加手段と、単価代入手段と、価格算出手段と、外部出力手段とを備えることができる。したがって、第１の装置で作成された指標単価情報を利用して第２の装置で見積書を作成することができる。
【００２３】
また、請求項９に係る発明の指標単価情報作成装置では、収集単価情報入力手段は、部材の単価に関する情報であり、部材が複合品目を有する場合には部材の複合品目の数量及び単価に関する情報を含む、予め収集された収集単価情報を入力し、収集単価情報記憶手段は、収集単価情報入力手段により入力された複数の収集単価情報を記憶し、採用情報指定手段は、ある部材について、収集単価情報記憶手段に記憶されている収集単価情報から１の収集単価情報を採用情報として指定し、指標単価入力手段は、部材又は部材の複合品目について、見積書に使用するための１の単価を指標単価として入力し、指標単価情報作成手段は、指標単価入力手段により入力された指標単価と採用情報指定手段により指定された採用情報とに基づき、少なくとも部材の単価及び部材の複合品目の単価及び数量をデータ項目として有する指標単価情報を作成し、指標単価情報記憶手段は、指標単価情報作成手段により作成された指標単価情報を部材毎に記憶することができる。したがって、収集された部材又は部材の複合品目についての価格の情報から適切な指標価格を採用、決定することができる。
【００２４】
また、請求項１０に係る発明の見積書作成装置では、指標単価情報記憶手段は、部材の単価に関する情報であり、部材が複合品目を有する場合には部材の複合品目の数量及び単価に関する情報を含む指標単価情報を部材毎に記憶し、設計情報記憶手段は、設計図に記載されている部材に関する情報であり、少なくとも部材を識別する部材識別情報及び部材の数量をデータ項目として有する設計情報を記憶し、見積書情報作成手段は、設計情報記憶手段に記憶されている設計情報の部材毎に少なくともその部材識別情報、数量、単価、価格をデータ項目として有した見積書情報を作成し、部材の部材識別情報及び数量のデータ項目に、設計情報記憶手段に記憶されている部材の部材識別情報及び数量の値を代入し、見積書情報記憶手段は、見積書情報作成手段により作成された見積書情報を記憶し、複合品目追加手段は、見積書情報記憶手段に記憶されている見積書情報に存在する部材について、指標単価情報記憶手段に記憶されている指標単価情報を参照して部材に複合品目が存在する場合には複合品目を見積書情報に追加し、単価代入手段は、見積書情報記憶手段に記憶されている見積書情報に存在する部材について、指標単価情報記憶手段に記憶されている指標単価情報を参照して、部材及び複合品目の単価を見積書情報の単価のデータ項目に代入し、価格算出手段は、見積書情報の各部材及び複合品目の数量と単価とに基づいて部材の価格、複合品目の価格及び部材と複合品目との価格をあわせた価格である複合単価を算出し、見積書情報記憶手段に記憶されている見積書情報の価格のデータ項目に算出した値を記憶し、外部出力手段は、見積書情報記憶手段に記憶されている見積書情報を外部に出力することができる。したがって、見積書作成においては、設計図に記載されている部材について、複合品目が存在する場合にも、その費用を反映させて見積もりを行うことができる。
【発明を実施するための最良の形態】
【００２５】
以下、本発明の実施の形態を図面を参照して説明する。まず、本発明の見積書作成システムを利用した見積書作成サービスの概要について図１を参照して説明する。そして、図２を参照して見積書作成システムの概要について説明する。図１は、見積書作成サービスのイメージ図であり、図２は、見積書作成システムの関係図である。
【００２６】
図１に示すように、本発明の見積書作成システムを利用した見積書作成サービスでは、サービス提供会社１が、建設会社や建築部材の販売会社等の部材メーカ２から部材の単価情報（収集単価情報）を収集する。サービス提供会社１には、指標単価作成装置１００が設置されている。そして、部材メーカ２から提供される収集単価情報は、所定形式のデータでインターネット等のネットワークを介して指標単価作成装置１００へ入力されたり、フレキシブルディスクやＣＤ−ＲＯＭといった記憶媒体に記憶されたデータで入手したものが入力されたり、紙媒体で提供されたものが指標単価作成装置１００へ手入力されたりする。そして、指標単価作成装置１００では、収集された収集単価情報に基づいて、指標単価情報が決定される。そして、作成された収集単価情報はデータベース１０１に記憶され、Ｗｅｂサーバ１０２を利用してインターネット５を介して提供される。
【００２７】
また、見積書を作成したい会員３では、見積書作成装置３００によりインターネット５を介してサービス提供会社１のＷｅｂサーバ１０２に接続して、最新の指標単価情報を取得する。そして、取得した指標単価情報を使用して見積書作成装置３００において、設計図から作成された部材データから見積書を作成する。
【００２８】
次に、図２を参照して、本発明の見積書作成システムの処理の流れと各情報の関係について説明する。部材メーカ２から収集された情報は、収集単価情報入力手段１１により、指標単価作成装置１００へ入力され、収集単価情報２１として記憶される。尚、この収集単価情報２１は、部材名とその部材自身の単価等が記憶されている単品収集単価情報２１１と、複合品目を有する部材の部材名とその複合品目（付随部材名や工程名）の単価等が記憶されている複合品目収集単価情報２１２とから成る。さらに、これらの単品収集単価情報２１１や複合品目収集単価情報２１２とが、情報を提供した部材メーカ２の数だけ存在している。また、記憶媒体に記憶されている収集単価情報２１を読み込むＣＤ−ＲＯＭドライブ１０６（図３参照）やＦＤドライブ１０７（図３参照）といった記憶媒体読み取りのためのドライブや、キーボード１１５やマウス１０８（図３参照）により手入力されたデータを収集単価情報２１に編集するソフトウェアを動作させるＣＰＵ１１０（図３参照）や、ネットワークを介して収集単価情報２１を受信する通信装置１３０（図３参照）等が収集単価情報入力手段１１に相当する。
【００２９】
そして、この収集単価情報２１は収集単価情報画面３２（具体的には、図１１の品目参照画面５０２、図１３の複合品目参照画面５０４、図１５の複合明細参照画面５０６参照）に表示され、これを参照して採用情報指定手段１２（具体的には、図１２の複合品目登録画面５０３、図１４の複合明細登録画面５０５参照）により採用される収集単価情報が指定される。また、収集単価情報２１から代表値算出処理４１により代表値が算出され、代表値画面３３（具体的には、図１１の品目参照画面５０２、図１５の複合明細参照画面５０６参照）に表示され、これを参照して指標単価入力手段１３により（具体的には、図１０の品目登録画面５０１、図１４の複合明細登録画面５０５参照）決定された指標単価が入力される。そして、指標単価情報作成処理４２では、採用情報指定手段１２及び指標単価入力手段１３からの入力に基づいて指標単価情報２０が作成され、ハードディスク装置１２０（図３参照）へ記憶される。この指標単価情報２０は、品目データ２２、複合品目データ２３、複合明細データ２４とから構成されている。
【００３０】
また、見積書を作成する会員３側では、見積書作成装置３００において、サービス提供会社１から最新の指標単価情報２０をダウンロードして、記憶し、この指標単価情報２０を参照して、設計図から作成された部材データ５１（例えば、ｃｓｖ形式）から見積書作成処理６１が見積書情報５２を作成し、最終的にハードディスク装置３２０（図４参照）へ記憶する。そして、これに基づいて、見積書５４が印刷されたり、見積書データ５３が所定のデータ形式で出力されたりする。尚、建築などの工事の見積もりでは、ある部材の費用として部材自体の価格だけでなく、部材に付随して発生する複合品目の価格もあわせて費用と考えられ、部材自体の価格及び複合品目の価格をあわせた価格である「複合単価」という考えが用いられ、ある部材を使用する際の見積費用とされている。
【００３１】
次に、指標単価作成装置１００及び見積書作成装置３００について説明する。図３は、指標単価作成装置１００の電気的構成を示すブロック図であり、図４は見積書作成装置３００の電気的構成を示すブロック図である。
【００３２】
まず、図３を参照して、指標単価作成装置１００について説明する。図３に示すように、指標単価作成装置１００には、指標単価作成装置１００の制御を司るＣＰＵ１１０が設けられ、ＣＰＵ１１０には各種のデータを一時的に記憶するＲＡＭ１１８と、ＢＩＯＳ等を記憶したＲＯＭ１１９と、データの受け渡しの仲介を行うＩ／Ｏインタフェイス１０３とが接続されている。Ｉ／Ｏインタフェイス１０３には、ハードディスク装置１２０が接続され、当該ハードディスク装置１２０には、収集単価情報記憶エリア１２１と、品目データ記憶エリア１２２と、複合品目データ記憶エリア１２３と、複合明細データ記憶エリア１２４と、メーカ・会員管理情報記憶エリア１２５と、プログラム記憶エリア１２６と、その他の情報記憶エリア１２７とが設けられている。
【００３３】
尚、収集単価情報記憶エリア１２１には、部材メーカ２から収集された収集単価情報２１（単品収集単価情報２１１及び複合品目収集単価情報２１２）が記憶される。また、品目データ記憶エリア１２２には、品目データ２２が記憶されており、複合品目データ記憶エリア１２３には、複合品目データ２３が記憶されており、複合明細データ記憶エリア１２４には、複合明細データ２４が記憶されている。また、メーカ・会員管理情報記憶エリア１２５には、部材メーカ２及び会員３に関する管理情報（名称、住所、連絡先、ＩＤ、パスワード等）が記憶されている。プログラム記憶エリア１２６にはＣＰＵ１１０で実行される指標単価情報作成処理４２を行うプログラムが記憶されており、その他の情報記憶エリア１２７には、指標単価作成装置１００で使用されるその他の情報が記憶されている。
【００３４】
また、Ｉ／Ｏインタフェイス１０３には、ビデオコントローラ１０４と、キーコントローラ１０５と、ＣＤ−ＲＯＭドライブ１０６と、ＦＤドライブ１０７と、マウス１０８と、通信装置１３０が接続され、ビデオコントローラ１０４にはディスプレイ１１４が接続され、キーコントローラ１０５にはキーボード１１５が接続され、通信装置１３０はインターネット５に接続している。尚、ＣＤ−ＲＯＭドライブ１０６に挿入されるＣＤ−ＲＯＭ１１６には、指標単価作成装置１００の制御プログラムが記憶されており、導入時に、ＣＤ−ＲＯＭ１１６からハードディスク装置１２０にセットアップされてプログラム記憶エリア１２６に記憶される。また、ＦＤドライブ１０７ではフレキシブルディスク１１７の読み取りや書き込みが可能となっている。尚、指標単価作成装置１００に接続可能な外部記憶媒体はＣＤ−ＲＯＭ１１６やフレキシブルディスク１１７に限らず、携帯型メモリ、ＤＶＤ、ＭＯ、メモリカード等であってもよい。
【００３５】
また、図４に示すように、見積書作成装置３００には、見積書作成装置３００の制御を司るＣＰＵ３１０が設けられ、ＣＰＵ３１０には各種のデータを一時的に記憶するＲＡＭ３０１と、ＢＩＯＳ等を記憶したＲＯＭ３０２と、データの受け渡しの仲介を行うＩ／Ｏインタフェイス３０３とが接続されている。Ｉ／Ｏインタフェイス３０３には、ハードディスク装置３２０が接続され、当該ハードディスク装置３２０には、部材データ記憶エリア３２１と、品目データ記憶エリア３２２と、複合品目データ記憶エリア３２３と、複合明細データ記憶エリア３２４と、見積書情報記憶エリア３２５と、プログラム記憶エリア３２６と、その他の情報記憶エリア３２７とが設けられている。
【００３６】
尚、部材データ記憶エリア３２１には、設計図から作成された部材データ５１が記憶される。また、品目データ記憶エリア３２２には、ダウンロードされた品目データ２２が記憶され、複合品目データ記憶エリア３２３には、ダウンロードされた複合品目データ２３が記憶され、複合明細データ記憶エリア３２４には、ダウンロードされた複合明細データ２４が記憶される。また、見積書情報記憶エリア３２５には、見積書作成処理６１で作成された見積書情報５２が記憶されている。プログラム記憶エリア３２６にはＣＰＵ３１０で実行される見積書作成処理６１を行うプログラムが記憶されており、その他の情報記憶エリア３２７には、見積書作成装置３００で使用されるその他の情報が記憶されている。
【００３７】
また、Ｉ／Ｏインタフェイス３０３には、ビデオコントローラ３０４と、キーコントローラ３０５と、ＣＤ−ＲＯＭドライブ３０６と、ＦＤドライブ３０７と、マウス３０８、通信装置３３０とが接続され、ビデオコントローラ３０４にはディスプレイ３１４が接続され、キーコントローラ３０５にはキーボード３１５が接続され、通信装置３３０はインターネット５に接続している。尚、ＣＤ−ＲＯＭドライブ３０６に挿入されるＣＤ−ＲＯＭ３１６には、見積書作成装置３００の制御プログラムが記憶されており、導入時に、ＣＤ−ＲＯＭ３１６からハードディスク装置３２０にセットアップされてプログラム記憶エリア３２６に記憶される。また、ＦＤドライブ３０７ではフレキシブルディスク３１７の読み取りや書き込みが可能となっている。また、見積書作成装置３００にはプリンタ３１８が接続している。尚、見積書作成装置３００に接続可能な外部記憶媒体はＣＤ−ＲＯＭ３１６やフレキシブルディスク３１７に限らず、携帯型メモリ、ＤＶＤ、ＭＯ、メモリカード等であってもよい。
【００３８】
次に、図５乃至図１５を参照して、指標単価作成装置１００における指標単価情報作成処理４２について説明する。まず、図５乃至図９を参照して、単品収集単価情報２１１，複合品目収集単価情報２１２，品目データ２２，複合品目データ２３，複合明細データ２４について説明し、次に図１０乃至図１５を参照して、指標単価情報作成処理４２においてディスプレイ１３４に表示される画面について説明しながら、品目データ２２，複合品目データ２３，複合明細データ２４の作成について説明する。
【００３９】
尚、図５は、単品収集単価情報２１１の模式図であり、図６は、複合品目収集単価情報２１２の模式図であり、図７は、品目データ２２の模式図であり、図８は、複合品目データ２３の模式図であり、図９は、複合明細データ２４の模式図である。また、図１０は、品目登録画面５０１のイメージ図であり、図１１は、品目参照画面５０２のイメージ図であり、図１２は、複合品目登録画面５０３のイメージ図であり、図１３は、複合品目参照画面５０４のイメージ図であり、図１４は、複合明細登録画面５０５のイメージ図であり、図１５は、複合明細参照画面５０６のイメージ図である。
【００４０】
まず、図５を参照して単品収集単価情報２１１について説明する。この単品収集単価情報２１１は、ハードディスク装置１２０の収集単価情報記憶エリア１２１に記憶されており、部材自身の単価等が、部材の名称や規格と共に所定の地域（例えば、都道府県）毎に記憶されている。図５に示す例では、部材名「ＬＡＮケーブル」で規格が「ＣＡＴ−５」の単価が４６円、「メタルモール」で規格が「Ａ型  １．８ｍ」の単価が４２８円、「メタルモール」で規格が「Ｂ型  １．８ｍ」の単価が９３５円、「メタルモール」で規格が「Ｃ型  １．８ｍ」の単価が１５１１円、「ワゴンモール」で規格が「２号  １ｍ」の単価が４５０円、「ワゴンモール」で規格が「２号  ２ｍ」の単価が９００円、「ワゴンモール」で規格が「３号  １ｍ」の単価が８９０円、「ワゴンモール」で規格が「３号  ２ｍ」の単価が１７８０円、「設置調整費」の単価が２２７５０円、「据付費」の単価が１３２００円、「配線工事費」で規格が「電工」の単価が１３６００円、「配線工事費」で規格が「普通作業員」の単価が１３２００円と登録されている。その他の部材について省略されている。尚、図示はしないが、部材、規格、単価の他に、地域を示す情報、歩掛の情報などが記憶されている。
【００４１】
次に、図６を参照して複合品目収集単価情報２１２について説明する。この複合品目収集単価情報２１２は、ハードディスク装置１２０の収集単価情報記憶エリア１２１に記憶されており、部材に関する作業に伴い発生する工程や付随部材等である複合品目についての情報が所定の地域（例えば、都道府県）毎に記憶されている。図６に示す例では、部材名「ＬＡＮケーブル」には品名「労務費」が複合品目として登録されており、その数量は０．４人日で１人日あたり１３６００円である。また、部材名「ＬＡＮケーブル（メタルモール配線（Ａ型））」には品名「メタルモール（Ａ型）」、品名「労務費（電工）」が複合品目として登録されている。尚、部材名及び品名の（）内はその規格を示している。品名「メタルモール（Ａ型）」の数量は０．５本で１本あたり４２８円、品名「労務費（電工）」の数量は０．４人日で１人日あたり１３６００円である。また、部材名「ＬＡＮケーブル（メタルモール配線（Ｂ型））」には品名「メタルモール（Ｂ型）」、品名「労務費（電工）」が複合品目として登録されており、品名「メタルモール（Ｂ型）」の数量は０．５本で１本あたり９３５円、品名「労務費（電工）」の数量は０．４人日で１人日あたり１３６００円である。また、部材名「ＬＡＮケーブル（メタルモール配線（Ｃ型））」には品名「メタルモール（Ｃ型）」、品名「労務費（電工）」が複合品目として登録されており、品名「メタルモール（Ｃ型）」の数量は１本で１本あたり１５１１円、品名「労務費（電工）」の数量は０．４人日で１人日あたり１３６００円である。その他の部材については省略されている。尚、図示しないが、各複合品目については部材（規格）、品名（規格）、数量、単位、単価の他に、地域を示す情報、歩掛の情報などが記憶されている。
【００４２】
尚、この単品収集単価情報２１１及び複合品目収集単価情報２１２については、所定の形式（例えば、ｃｓｖファイルフォーマット）のデータであり、部材メーカ２毎のファイルとなって、収集単価情報記憶エリア１２１に記憶されている。部材メーカ２から収集した情報が、紙に記載されたものであった場合には、キーボード１１５からデータを入力する。この際に、単品収集単価情報２１１及び複合品目収集単価情報２１２と同様のデータフォーマット（データ項目の並び）とするとよい。また、部材メーカ２から提供されたデータが、単品収集単価情報２１１及び複合品目収集単価情報２１２のデータフォーマットと異なる場合には、図示外の「データ読込画面」を開き、収集したデータのどの項目が、単品収集単価情報２１１及び複合品目収集単価情報２１２のどの項目に該当するかを結び付ける処理を行い、収集したデータを所定のデータフォーマットに変更して使用する。尚本実施の形態では、部材メーカ２から提供された単品収集単価情報２１１及び複合品目収集単価情報２１２は、１つの部材メーカ２について、その部材メーカ２が扱う全ての地域の情報を１ファイルに構成しているが、地域毎に別々のファイルとして複数のファイルで単品収集単価情報２１１及び複合品目収集単価情報２１２を提供してもよい。
【００４３】
次に、図７乃至図９を参照して指標単価情報２０について説明する。この指標単価情報２０は、品目データ２２、複合品目データ２３、複合明細データ２４で構成されている。ところで、部材等の価格は日本全国均一ではなく、地域により異なっている。そこで、これらのデータ２２〜２４は、所定の地域（例えば、都道府県）毎に作成される。
【００４４】
まず、図７を参照して、品目データ２２について説明する。この品目データ２２は、ハードディスク装置１２０の品目データ記憶エリア１２２に記憶されており、この品目データ２２には、全ての部材に関する情報が記憶されている。ここには、複合品目を有する部材も複合品目を有しない部材も記憶されている。そして、複合品目を有する部材には「複合品目コード」がセットされており、後述する複合品目データ２３、複合明細データ２４をその複合品目コードから参照して複合品目に関する情報を参照できるようになっている。図７に示すように、品目データには「科目コード」、「読み」、「品名」、「規格・寸法」、「複合品目コード」、「数量」、「単位」、「登録単価」等の情報が記憶されている。尚、「科目コード」とは部材を分類するためのコードである。また、「読み」とは部材を識別するためのコードであり、「品名」は部材の名称、「規格・寸法」は部材の規格や仕様、寸法といった部材の詳細である。また、「単位」は部材の量を表す際に使用する単位であり、「複合品目コード」は、複合品目データ２３（図８参照）及び複合明細データ２４（図９参照）のデータを参照する際に使用されるコードである。「数量」は当該部材を見積する際の基準となる量であり、「登録単価」は当該部材の１単位当たりの価格である。例えば、「メタルモール配線（Ａ型  １．８ｍ）」であれば、その単位は「本」であり、「登録単価」は１本４２８円で、見積の際には０．５本単位で見積りが行われる。
【００４５】
図７に示す例では、科目コード「１０９」、読み「ＵＰＳ００１」、品名「ＵＰＳ」、規格・寸法「７５０ＶＡ」の部材は、複合品目を有しており、その複合品目コードは「１０９０００１」で、１台あたりの登録単価が６８２００円である。また、科目コード「１０９」、読み「ＵＰＳ００２」、品名「ＵＰＳ」、規格・寸法「１５００ＶＡ」の部材は、複合品目を有しており、その複合品目コードは「１０９０００２」で、１台あたりの登録単価が１１５３５０円である。
【００４６】
また、科目コード「３０４」、読み「ＬＡＮ００１」、品名「ＬＡＮケーブル」の部材は、複合品目を有しており、その複合品目コードは「３０４０００１」で、１ｍあたりの登録単価が４６円である。また、科目コード「３０４」、読み「ＬＡＮ００２」、品名「ＬＡＮケーブル」、規格・寸法「メタルモール配線（Ａ型）」の部材は、複合品目を有しており、その複合品目コードは「３０４０００２」で、１ｍあたりの登録単価が４６円である。また、科目コード「３０４」、読み「ＬＡＮ００３」、品名「ＬＡＮケーブル」、規格・寸法「メタルモール配線（Ｂ型）」の部材は、複合品目を有しており、その複合品目コードは「３０４０００３」で、１ｍあたりの登録単価が４６円である。また、科目コード「３０４」、読み「ＬＡＮ００４」、品名「ＬＡＮケーブル」、規格・寸法「メタルモール配線（Ｃ型）」の部材は、複合品目を有しており、その複合品目コードは「３０４０００４」で、１ｍあたりの登録単価が４６円である。また、科目コード「３０４」、読み「ＬＡＮ００５」、品名「ＬＡＮケーブル」、規格・寸法「ワゴンモール（１号  １ｍ）」の部材は、複合品目を有しており、その複合品目コードは「３０４０００５」で、１ｍあたりの登録単価が４６円である。また、科目コード「３０４」、読み「ＬＡＮ００６」、品名「ＬＡＮケーブル」、規格・寸法「ワゴンモール（１号  ２ｍ）」の部材は、複合品目を有しており、その複合品目コードは「３０４０００６」で、１ｍあたりの登録単価が４６円である。
【００４７】
また、科目コード「３０４」、読み「ＬＡＮ０１５」、品名「ＬＡＮケーブル」、規格・寸法「ＰＦ管（φ１４）」の部材は、複合品目を有しており、その複合品目コードは「３０４００１５」で、１ｍあたりの登録単価が４６円である。また、科目コード「３０４」、読み「ＬＡＮ０１６」、品名「ＬＡＮケーブル」、規格・寸法「ＰＦ管（φ２２）」の部材は、複合品目を有しており、その複合品目コードは「３０４００１６」で、１ｍあたりの登録単価が４６円である。また、科目コード「３０５」、読み「ＡＣ０００１」、品名「電源ケーブル」、規格・寸法「ＡＣ１２５ｖ」の部材は、複合品目を有しており、その複合品目コードは「３０５０００１」で、１ｍあたりの登録単価が１２００円である。また、科目コード「４０１」、読み「ＭＯ０００１」、品名「メタルモール」、規格・寸法「Ａ型  １．８ｍ」の部材は、０．５本あたりの登録単価が４２８円である。また、科目コード「４０１」、読み「ＭＯ０００２」、品名「メタルモール」、規格・寸法「Ｂ型  １．８ｍ」の部材は、０．５本あたりの登録単価が９３５円である。また、科目コード「４０１」、読み「ＭＯ０００３」、品名「メタルモール」、規格・寸法「Ｃ型  １．８ｍ」の部材は、０．５本あたりの登録単価が１５１１円である。また、科目コード「４０１」、読み「ＭＯ０００４」、品名「ワゴンモール」、規格・寸法「２号  １ｍ」の部材は、１本あたりの登録単価が４５０円である。また、科目コード「４０１」、読み「ＭＯ０００５」、品名「ワゴンモール」、規格・寸法「２号  ２ｍ」の部材は、０．５本あたりの登録単価が９００円である。
【００４８】
また、科目コード「７０１」、読み「ＷＯ１００２」、品名「設置調整費」は、１人日あたりの登録単価が２２７５０円である。また、科目コード「７０２」、読み「ＷＯ２００１」、品名「据付費」は、１人日あたりの登録単価が１３２００円である。また、科目コード「７０３」、読み「ＷＯ３００１」、品名「配線工事費」、規格・寸法「電工」は、１人日あたりの登録単価が１３６００円である。また、科目コード「７０３」、読み「ＷＯ３００２」、品名「配線工事費」、規格・寸法「普通作業員」は、１人日あたりの登録単価が１３２００円である。
【００４９】
次に、図８を参照して、複合品目データ２３について説明する。この複合品目データ２３には、ハードディスク装置１２０の複合品目データ記憶エリア１２３に記憶されており、複合品目を有する部材に関して「科目コード」、「複合品目コード」、「読み」、「複合品名」、「複合規格・寸法」等が記憶される。「科目コード」は部材を分類するためのコードであり、「複合品目コード」は複合品目を特定し、部材と結び付けるためのコードであり、「読み」はその複合品目を有する部材の「読み」であり、「複合品名」は複合品目の名称であり、「複合規格」は複合品目の詳細である。尚、この外に明細書作成時に部材のみを表示する部材か、複合品目も表示する部材か、一部の複合品目のみ表示する部材か等を示すコードである「複合種別」等も記憶されている。
【００５０】
図８に示す例では、科目コード「３０４」の複合品目コード「３０４０００１」の複合品目の読みは「ＬＡＮ００１」、複合品名は「配線工事費」、複合規格・寸法は「露出」であり、科目コード「３０４」の複合品目コード「３０４０００２」の複合品目の読みは「ＬＡＮ００２」、複合品名は「配線工事費」、複合規格・寸法は「メタルモール配線（Ａ型）」であり、科目コード「３０４」の複合品目コード「３０４０００３」の複合品目の読みは「ＬＡＮ００３」、複合品名は「配線工事費」、複合規格・寸法は「メタルモール配線（Ｂ型）」であり、科目コード「３０４」の複合品目コード「３０４０００４」の複合品目の読みは「ＬＡＮ００４」、複合品名は「配線工事費」、複合規格・寸法は「メタルモール配線（Ｃ型）」であり、科目コード「３０４」の複合品目コード「３０４０００５」の複合品目の読みは「ＬＡＮ００５」、複合品名は「配線工事費」、複合規格・寸法は「ワゴンモール（１号  １ｍ）」であり、科目コード「３０４」の複合品目コード「３０４０００６」の複合品目の読みは「ＬＡＮ００６」、複合品名は「配線工事費」、複合規格・寸法は「ワゴンモール（１号  ２ｍ）」であり、科目コード「３０４」の複合品目コード「３０４０００７」の複合品目の読みは「ＬＡＮ００７」、複合品名は「配線工事費」、複合規格・寸法は「ワゴンモール（２号  １ｍ）」であり、科目コード「３０４」の複合品目コード「３０４０００８」の複合品目の読みは「ＬＡＮ００８」、複合品名は「配線工事費」、複合規格・寸法は「ワゴンモール（２号  ２ｍ）」である。その他の複合品目については省略されている。
【００５１】
次に、図９を参照して、複合明細データ２４について説明する。この複合明細データは、ハードディスク装置１２０の複合明細データ記憶エリア１２４に記憶されており、複合品目とされる付随部材や工程についての明細データが記憶されている。ここには、図９に示すように、「複合品目コード」、「複合品名」、「複合規格・寸法」、「品目コード」、「科目コード」、「品名」、「規格・寸法」、「数量」、「単位」、「単価」等が記憶されている。この「複合品目コード」、「複合品名」、「複合規格・寸法」は、複合品目データ２３に登録されているものと同様であり、「複合品目コード」により品目データ２２の部材と結び付けいている。そして、「品目コード」、「科目コード」、「品名」、「規格・寸法」、「数量」、「単価」等にはそれぞれには、複合品目となる付随部材や工程の品目コード、科目コード、品名、規格・寸法、数量、単価等がセットされる。尚、「単位」は部材の量を表す際に使用する単位であり、「数量」は複合明細の部材を使用する部材の単位数量（品目データ２２の「数量」に記憶されている数量）当たりに使用される数量であり、「登録単価」は当該複合品目の１単位量当たりの価格である。例えば、「ＬＡＮケーブル（メタルモール配線Ａ型）」であれば、その「数量」は「１」、「単位」は「ｍ」であり（図６参照）、「ＬＡＮケーブル（メタルモール配線Ａ型）」を１ｍ使用する場合には、この付随部材である「メタルモール配線（Ａ型  １．８ｍ）」は０．５本とされ、工程である「配線工事費（電工）」は０．１人日必要となる。また、「メタルモール配線（Ａ型  １．８ｍ）」は１本で４２８円、「配線工事費（電工）」は１人日で１３６００円である。尚、ここに登録されている付随部材や工程について、複合品目としてではなく単独の部材として用いられる場合もあるため、品目データにも同様の付随部材や工程の情報が登録されている。
【００５２】
図９に示す例では、複合品目コード「３０４０００１」、複合品名「配線工事費」、複合規格・寸法「露出」の品目コードは「７０３０００１」、科目コードは「７０３」、品名は「配線工事費」、規格・寸法は「電工」で、数量は「０．４」であり、１人日あたり１３６００円である。また、複合品目コード「３０４０００２」、複合品名「配線工事費」、複合規格・寸法「メタルモール配線（Ａ型）」の品目コードは「４０１０００１」、科目コードは「４０１」、品名は「メタルモール」、規格・寸法は「Ａ型  １．８ｍ」で、数量は「０．５」であり、１本あたり４２８円である。また、複合品目コード「３０４０００２」、複合品名「配線工事費」、複合規格・寸法「メタルモール配線（Ａ型）」の品目コードは「７０３０００１」、科目コードは「７０３」、品名は「配線工事費」、規格・寸法は「電工」で、数量は「０．１」であり、１人日あたり１３６００円である。また、複合品目コード「３０４０００３」、複合品名「配線工事費」、複合規格・寸法「メタルモール配線（Ｂ型）」の品目コードは「４０１０００２」、科目コードは「４０１」、品名は「メタルモール」、規格・寸法は「Ｂ型  １．８ｍ」で、数量は「０．５」であり、１本あたり９３５円である。
【００５３】
また、複合品目コード「３０４０００３」、複合品名「配線工事費」、複合規格・寸法「メタルモール配線（Ｂ型）」の品目コードは「７０３０００１」、科目コードは「７０３」、品名は「配線工事費」、規格・寸法は「電工」で、数量は「０．１」であり、１人日あたり１３６００円である。また、複合品目コード「３０４０００４」、複合品名「配線工事費」、複合規格・寸法「メタルモール配線（Ｃ型）」の品目コードは「４０１０００３」、科目コードは「４０１」、品名は「メタルモール」、規格・寸法は「Ｃ型  １．８ｍ」で、数量は「０．５」であり、１本あたり１５１１円である。また、複合品目コード「３０４０００４」、複合品名「配線工事費」、複合規格・寸法「メタルモール配線（Ｃ型）」の品目コードは「７０３０００１」、科目コードは「７０３」、品名は「配線工事費」、規格・寸法は「電工」で、数量は「０．１」であり、１人日あたり１３６００円である。また、複合品目コード「３０４０００５」、複合品名「配線工事費」、複合規格・寸法「ワゴンモール（１号  １ｍ）」の品目コードは「４０１０００４」、科目コードは「４０１」、品名は「ワゴンモール」、規格・寸法は「２号  １ｍ」で、数量は「１」であり、１本あたり４５０円である。また、複合品目コード「３０４０００５」、複合品名「配線工事費」、複合規格・寸法「ワゴンモール（１号  １ｍ）」の品目コードは「７０３０００１」、科目コードは「７０３」、品名は「配線工事費」、規格・寸法は「電工」で、数量は「０．４」であり、１人日あたり１３６００円である。その他の複合品目についての情報は省略されている。
【００５４】
次に、図１０及び図１１を参照して、品目登録画面５０１を使用した品目の登録について説明する。品目登録画面５０１は、品目データ２２に品目を登録する際に利用する画面である。品目参照画面５０２は、品目登録画面５０１において品目を登録する際に参照する画面である。ここには、部材メーカ２から収集された収集単価情報から得られる種々の情報が表示されるので、登録者は、ここに表示されている内容を参考にして、品目の登録内容を決定し、品目登録画面５０１において入力することができる。尚、品目登録画面５０１は、メイン画面（図示外）において「品目登録メニュー」を選択することにより表示される。
【００５５】
図１０に示すように、品目登録画面５０１には、画面左上に科目選択ボックス５１１が設けられている。ここで、登録したい部材の科目を選択すると、画面中央のデータシート部５１４に登録済みの部材のデータが表示される。尚、科目選択ボックス５１１の右側には図示外の科目登録画面により登録済みの科目内容が表示される。図１０に示す例では、科目「３０４」の「ＬＡＮケーブル」のデータが表示されている。そして、その下には科目選択ボックス５１１で指定されている科目の品目データが表示されるデータシート部５１４が設けられている。そして、データシート部５１４の右下には、参照ボタン５１５、登録ボタン５１６、削除ボタン５１７が設けられており、データシート部５１４の左下には戻るボタン５１８及び複合品目ボタン５１９が設けられている。
【００５６】
データシート部５１４に表示されているデータを変更する際には、データシート部５１４において、変更したい項目にマウスポインタを移動させるか、キーボード１１５の操作によりカーソルを移動させて、変更する行を指定し、キーボード１１５又はマウス１０８により入力を行う。また、新しい品目を追加する際には、最後の行の下の空行を選択し、各項目を入力する。また、データを削除する際には、削除したいデータのいずれかの項目を選択して行を選択し、データシート部５１４の下部にある削除ボタン５１７を選択することにより、データシート部５１４からその品目のデータが削除される。そして、登録ボタン５１６を選択すると、データシート部５１４に表示されている内容が品目データ記憶エリア１２２に記憶される。
【００５７】
また、参照ボタン５１５を選択すると、図１１に示す品目参照画面５０２が表示される。この品目参照画面５０２の上部には、どの品目のデータを表示しているかを示すために、「科目」、「品名」、「規格・寸法」が表示されている。図１１に示す例では、科目「３０４  ＬＡＮケーブル」、品名「ＬＡＮケーブル（ＬＡＮ００２）」、規格・寸法「メタルモール配線（Ａ型）」の情報が表示されている。そして、その下には参照データシート部５２４が設けられており、ここに、現在使用されている品目データ２２の情報（前回情報）及び、部材メーカ２から収集された収集単価情報２１のデータが表示されている。登録者は、この参照データシート部５２４を参照しながら品目登録画面５０１のデータシート部５１４に入力することができる。これにより、現在使用しているデータと同様のデータ使用する場合には、入力の手間が省けると共に、入力間違いを防ぐことができる。尚、当初の登録など、過去のデータが存在しない場合には、前回情報は表示されない。
【００５８】
また、参照データシート部５２４の下に設けられている「前回情報をコピー」ボタン５２６を選択すると、前回情報がデータシート部５１４の選択行にコピーされる。また、参照データシート部５２４において１つのデータを選択し、「チェックデータをコピー」ボタン５２５を選択すると、選択されてチェックマークが行頭に付いている行のデータがデータシート部５１４の選択行にコピーされる。これにより、妥当なデータを収集単価情報２１から選択することができる。また、一部を変更するだけでよいようなデータを選択して、その箇所だけ変更するというような利用もできる。これにより、入力の手間が省けるとともに、入力間違いも防ぐことができる。
【００５９】
また、参照データシート部５２４の下には、単価代表値５２７が表示されている。これは、収集単価情報２１における単価の代表値を表示するものである。単価代表値５２７の右側には、「平均」、「メディアン」、「モード」、「ミッドレンジ」のラジオボタン群５２８が設けられており、そこで選択されている手法による代表値が単価代表値５２７に表示される。尚、「平均」とは、全ての単価の合計をデータの数で割った値であり、「メディアン」とは、単価を値の小さいものから順に並べ変えた際の中央のデータ（例えば、ｎ個のデータがあれば、ｎ分の２番目のデータ）の値である。また、「モード」とは、最も多くのデータがとっている値であり、「ミッドレンジ」とは、単価の最小値と最大値との範囲の中間の値（例えば、最小値４０、最大値６０であればミッドレンジは５０）である。さらに、単価代表値５２７の下には単価の分布グラフ図５２９が表示されている。登録者は、これらの情報を参照して、品目登録画面５０１に入力することができる。統計的な情報を見ることができるので、どの単価が妥当であるかの判断に大変に役立つ。
【００６０】
尚、これらの代表値を算出する際には、収集単価情報記憶エリア１２１に記憶されている各社の収集単価情報２１の単品収集単価情報２１１について、「品名」欄に入力されている文字列と同じデータの価格が読み出され、読み出された値に基づいて各代表値が算出される。尚、読み出された際に所定条件に該当しない値については、代表値の計算に反映されないように読み捨てられる。例えば、この所定条件は、過去の値の＋−１０％の範囲としてもよい。また、全ての値を読み込んだ後に、その最大値及び最小値の範囲の上下１０％を削除するというように実際のデータから割り出すようにしてもよい。また、品目参照画面５０２において、基準範囲を入力できるようにし、その範囲外の値を削除するようにしてもよい。また、予め別画面で基準範囲を設定できるようにしてもよい。
【００６１】
尚、品目参照画面５０２の下部にある閉じるボタン５３０が選択されると、この画面は閉じられる。また、品目登録画面５０１（図１０参照）の戻るボタン５１８を選択すると、品目登録画面５０１は閉じられ、メイン画面へ戻る。また、複合品目ボタン５１９を選択すると、複合品目登録画面５０３（図１２参照）が表示され、複合品目の登録を行うことができる。
【００６２】
次に、図１２及び図１３を参照して、複合品目登録画面５０３を使用した複合品目の登録について説明する。複合品目登録画面５０３は、複合品目データ２３に複合品目を登録する際に利用する画面である。複合品目参照画面５０４は、複合品目登録画面５０３において複合品目を登録する際に参照する画面である。ここには、部材メーカ２から収集された収集単価情報２１から得られる複合品目に関する種々の情報が表示されるので、登録者はここに表示されている内容を参照して、複合品目の登録内容を決定し、複合品目登録画面５０３において入力することができる。
【００６３】
図１２に示すように、複合品目登録画面５０３には、画面左上に科目選択ボックス５３１が設けられている。ここで登録したい複合品目の科目を選択すると、画面中央のデータシート部５３４に登録済みの複合品目のデータが表示される。尚、品目登録画面５０１の複合品目ボタン５１９の選択により画面を開いた場合には、品目登録画面５０１で選択されていた科目と同じ科目が選択されている。メインメニューから開いた場合には何も選択されないので、科目選択ボックス５３１で科目を選択する。そして、データシート部５３４の右下には、参照ボタン５３５、登録ボタン５３６、削除ボタン５３７が設けられており、データシート部５３４の左下には戻るボタン５３８及び複合明細ボタン５３９が設けられている。
【００６４】
また、データシート部５３４に表示されているデータを変更する際にも、品目登録画面５０１と同様にデータシート部５３４において変更したい行を選択する。また、新しい複合品目データを追加する際には、データシート部５３４の最後の行の下の空行を選択し、項目を入力する。また、データを削除する際には、削除したいデータの行を選択し、削除ボタン５３７を選択すれば、データシート部５３４から削除される。そして、登録ボタン５３６を選択すれば、データシート部５３４の内容が複合品目データ記憶エリア１２３へ記憶される。
【００６５】
また、参照ボタン５３５を選択すると、図１３に示す複合品目参照画面５０４が表示される。この複合品目参照画面５０４の上部には、どの品目のデータを表示しているかを示すために、「科目」、「品名」、「規格・寸法」が表示されている。図１３に示す例では、科目「３０４  ＬＡＮケーブル」、品名「ＬＡＮケーブル（ＬＡＮ００２）」、規格・寸法「メタルモール配線（Ａ型）」の情報が表示されている。そして、その下には参照データシート部５４４が設けられており、ここに現在使用されている複合品目データ２３の情報（前回情報）及び、部材メーカ２から収集された収集単価情報２１のデータが表示されている。登録者は、この参照データシート部５４４を参照しながら複合品目登録画面５０３のデータシート部５３４に入力することができる。これにより、現在使用しているデータと同様のデータ使用する場合には、入力の手間が省けると共に、入力間違いを防ぐことができる。尚、当初の登録など、過去のデータが存在しない場合には、前回情報は表示されない。
【００６６】
また、参照データシート部５４４の下に設けられている「前回情報をコピー」ボタン５４６を選択すると、前回情報がデータシート部５３４の選択行にコピーされる。また、参照データシート部５４４において１つのデータを選択し、「チェックデータをコピー」ボタン５４５を選択すると、選択されてチェックマークが行頭に付いている行のデータがデータシート部５３４の選択行にコピーされる。これにより、妥当なデータを収集単価情報２１から選択することができる。また、一部を変更するだけでよいようなデータを選択して、その箇所だけ変更するというような利用もできる。これにより、入力の手間が省けるとともに、入力間違いも防ぐことができる。
【００６７】
また、参照データシート部５４４の下には、複合品目情報欄５４７が設けられており、当該部材について、収集単価情報２１においてどのような複合品目を有するとしているデータが存在するかの情報が表示されている。図１３に示す例では、品名「ＬＡＮケーブル」、規格・寸法「メタルモール配線（Ａ型）」という部材については、複合品目を有していないデータが２％、複合品目があり、その複合品目が「メタルモール」と「配線工事費」であるものが８０％、複合品目が「メタルモール」と「配線工事費」と「エンドキャップ」であるものが１８％であるとされている。登録者はこの情報を参考にして、この部材に複合品目が必要か否か、複合品目が必要であればどの部材や工程を複合品目とするかの決定の参考にすることができる。
【００６８】
尚、複合品目参照画面５０４の下部にある閉じるボタン５４８が選択されると、この画面は閉じられる。また、複合品目登録画面５０３のデータシート部５３４の左にある戻るボタン５３８を選択すると、複合品目登録画面５０３は閉じられ、メニュー画面へ戻る。また、複合明細ボタン５３９を選択すると、複合明細登録画面５０５（図１４参照）が表示され、複合明細を登録することができる。
【００６９】
次に、図１４及び図１５を参照して複合明細登録画面５０５を使用した複合品目の明細の登録について説明する。複合明細登録画面５０５は、複合明細データ２４に複合品目の明細を登録する際に利用する画面である。複合明細参照画面５０６は、複合明細登録画面５０５において複合明細を登録する際に参照する画面である。ここには、部材メーカ２から収集された収集単価情報２１から得られる複合明細に関する種々の情報が表示されるので、登録者はここに表示されている内容を参照して、複合明細の登録内容を決定し、複合明細登録画面５０５において入力することができる。
【００７０】
図１４に示すように、複合明細登録画面５０５には、画面左上に科目選択ボックス５５１及び複合品目コード選択ボックス５５２とが設けられている。ここで登録したい複合明細の科目及び複合品目を指定することができる。尚、指定された複合品目の品目名、規格・寸法等がその右側の複合品目内容欄５５３に表示される。尚、複合品目登録画面５０３の複合明細ボタン５３９の選択により画面を開いた場合には、複合品目登録画面５０３で選択されていた科目及び複合品目が選択されている。メインメニューから開いた場合には何も選択されない。そして、その下には科目選択ボックス５５１及び複合品目コード選択ボックス５５２とで指定されている科目の複合品目のデータが表示されるデータシート部５５４が設けられている。そして、データシート部５５４の右下には、参照ボタン５５５、登録ボタン５５６、削除ボタン５５７が設けられており、データシート部５５４の左下には戻るボタン５５８が設けられている。
【００７１】
また、データシート部５５４に表示されているデータを変更する際にも、品目登録画面５０１や複合品目登録画面５０３と同様にデータシート部５５４において変更したい行を選択する。また、新しい複合品目データを追加する際には、データシート部５５４の最後の行の下の空行を選択し、項目を入力する。また、データを削除する際には、削除したいデータの行を選択し、削除ボタン５５７を選択すれば、データシート部５５４からその明細が削除される。そして、登録ボタン５５６を選択すれば、データシート部５５４の内容が複合明細データ記憶エリア１２４に記憶される。
【００７２】
また、参照ボタン５５５を選択すると、図１５に示す複合明細参照画面５０６が表示される。この複合明細参照画面５０６の上部には、どの品目の複合明細のデータを表示しているかを示すために、「科目」、「品名」、「規格・寸法」が表示されている。図１５に示す例では、科目「３０４  ＬＡＮケーブル」、品名「ＬＡＮケーブル（ＬＡＮ００２）」、規格・寸法「メタルモール配線（Ａ型）」の情報が表示されている。そして、その下には、参照データシート部５６４が設けられており、ここに現在使用されている複合明細データ２４の情報（前回情報）及び、部材メーカ２から収集された収集単価情報２１のデータが表示されている。登録者は、この参照データシート部５６４を参照しながら複合明細登録画面５０５のデータシート部５５４に入力することができる。これにより、現在使用しているデータと同様のデータ使用する場合には、入力の手間が省けると共に、入力間違いを防ぐことができる。尚、当初の登録など、過去のデータが存在しない場合には、前回情報は表示されない。
【００７３】
また、参照データシート部５６４の下に設けられている「前回情報をコピー」ボタン５６６を選択すると、前回情報がデータシート部５５４の選択行にコピーされる。また、参照データシート部５６４において１つのデータを選択し、「チェックデータをコピー」ボタン５６５を選択すると、選択されてチェックマークが行頭に付いている行のデータがデータシート部５５４の選択行にコピーされる。これにより、妥当なデータを収集単価情報２１から選択することができる。また、一部を変更するだけでよいようなデータを選択して、その箇所だけ変更するというような利用もできる。これにより、入力の手間が省けるとともに、入力間違いも防ぐことができる。
【００７４】
また、参照データシート部５６４の下には、単価参照欄が設けられており、品目選択ボックス５６２により、代表値を表示する品目が選択できるようになっている。そして、品目選択ボックス５６２の下には単価代表値５６７が表示されている。この単価代表値５６７は、品目参照画面５０２の単価代表値５２７と同様に、ラジオボタン群５６８により「平均」、「メディアン」、「モード」、「ミッドレンジ」からどの値を表示するかを選択できるようになっている。また、品目選択ボックス５６２により選択された品目の単価の分布グラフ図５６９もその下に表示されている。よって、登録者は、これらの情報を参照して複合明細登録画面５０５のデータシート部５５４に入力することができるので、複合明細の単価においても、統計的な情報をどの単価が妥当であるかの判断の参考にすることができる。
【００７５】
尚、これらの代表値を算出する際には、品目参照画面５０２の際と同様に、収集単価情報記憶エリア１２１に記憶されている各社の収集単価情報２１の単品収集単価情報２１１について、「品名」欄に入力されている文字列と同じデータの価格が読み出され、読み出された値に基づいて各代表値が算出される。尚、読み出された際に所定条件に該当しない値については、代表値の計算に反映されないように読み捨てられる。
【００７６】
尚、複合明細参照画面５０６の下部にある閉じるボタン５６１が選択されると、この画面は閉じられる。また、複合明細登録画面５０５（図１４参照）の戻るボタン５５８を選択すると、複合明細登録画面５０５は閉じられ、複合品目登録画面５０３へ戻る。
【００７７】
このようにして、部材メーカ２から収集単価情報２１を収集することにより、指標単価情報２０を作成することができる。例えば３ヶ月や半年毎に部材メーカ２から収集単価情報２１を収集するようにすれば、価格変動の激しい部材についての指標単価を妥当な価格で設定することができる。そして、登録された指標単価情報２０はデータベース１０１に記憶されて、Ｗｅｂサーバ１０２を介してインターネット５を介して提供される（「出力手段」に相当）。これにより、ユーザである会員３は、見積書作成装置３００においてインターネット５を通じて最新の指標単価情報２０を入手することができる。
【００７８】
尚、本実施の形態では、指標単価作成装置１００が「第１の装置」に該当し、指標単価作成装置１００のハードディスク装置１２０の収集単価情報記憶エリア１２１が「収集単価情報記憶手段」に相当し、品目データ記憶エリア１２２，複合品目データ記憶エリア１２３，複合明細データ記憶エリア１２４が「指標単価情報記憶手段」に相当する。また、複合品目登録画面５０３，複合明細登録画面５０５が「採用情報指定手段」に該当し、品目登録画面５０１，複合明細登録画面５０５が「指標単価入力手段」に該当し、品目参照画面５０２，複合明細参照画面５０６が「代表値表示手段」に該当する。そして、品目登録画面５０１，複合品目登録画面５０３，複合明細登録画面５０５を表示させ、これらの画面の入力に対する処理を行うＣＰＵ１１０が「指標単価情報作成手段」に相当し、品目参照画面５０２，複合明細参照画面５０６に表示される代表値を算出するＣＰＵ１１０が「代表値算出手段」に相当し、代表値を算出する際に所定条件に該当しない値を読み捨てる処理を行うＣＰＵ１１０が「除外手段」に相当する。
【００７９】
次に、図１６乃至図３５を参照して、見積書作成装置３００における見積書作成処理６１について説明する。
【００８０】
図１６は、見積書作成処理６１における画面の推移図である。そして、図１７は、部材データ５１の模式図であり、図１８は、外部読込処理後の見積書情報５２１の模式図であり、図１９は、複合品目入力後の見積書情報５２２の模式図であり、図２０は、計算処理後の見積書情報５２３の模式図であり、図２１は、印刷された内訳明細書５９のイメージ図である。そして、図２２は、見積一覧画面６０１のイメージ図であり、図２３は、概要入力画面６０２のイメージ図であり、図２４は、内訳入力画面６０３のイメージ図であり、図２５は、フィールド選択画面６０５のイメージ図であり、図２６は、明細入力画面６０６のイメージ図であり、図２７は、複合品目入力画面６０７のイメージ図であり、図２８は、印刷メニュー画面６０８のイメージ図である。そして、図２９は、見積書作成処理のフローチャートであり、図３０は、概要処理のフローチャートであり、図３１は、内訳処理のフローチャートであり、図３２は、外部明細読込処理のフローチャートであり、図３３は、明細処理のフローチャートであり、図３４は、複合品目処理のフローチャートであり、図３５は、印刷処理のフローチャートである。
【００８１】
まず、図１６を参照して、明細書作成処理の画面推移について説明する。まず、見積書作成プログラムを起動させると、見積一覧画面６０１（図２２参照）が表示される。この見積一覧画面６０１には、既に作成されて記憶されている見積書の一覧が表示される。そこで、「新規」の指示を行うと、概要入力画面６０２（図２３参照）が表示される。この概要入力画面６０２では、見積書を作成する設計図がどういった工事の図面であるかに関する種々の情報を入力する。ここで「内訳」の指示を行うと、内訳入力画面６０３（図２４参照）が表示される。この内訳入力画面６０３では、概要入力画面６０２で入力された工事の中のどの設計図であるかの情報が登録される。
【００８２】
そして、ここで「外部読込」の指示を行うと、外部明細読込画面６０４が表示され、読み込みたい部材データ５１のファイル指定を行うことができる。そして、部材データ５１のファイル指定がなされたら、フィールド選択画面６０５（図２５参照）が表示され、指定された部材データ５１のデータ項目と、見積書情報５２のデータ項目との結び付けを行うことができる。そして、その結び付けにしたがって部材データ５１が読み込まれる。そして、この内訳入力画面６０３で「明細」の指示を行うと、読み込まれた部材データ５１から生成された見積書情報５２の表示された明細入力画面６０６（図２６参照）が表示される。
【００８３】
この明細入力画面６０６で「複合品目入力」の指示を行うと、複合品目入力画面６０７（図２７参照）が表示される。この複合品目入力画面６０７において、「複合品目読込」の指示を行うと、明細入力画面６０６で選択されていた部材の複合品目が読み込まれて、複合品目入力画面６０７に表示される。そして、明細入力画面６０６へ戻ると、見積書情報に複合品目のデータが追加されて表示される。そして、明細入力画面６０６から概要入力画面６０２へ戻り、「計算」の指示が行われると、見積書情報５２のデータについて費用算出の計算が行われる。そして、「印刷」の指示が行われると、印刷メニュー画面６０８（図２８参照）が表示され、「出力」の指示が行われると、見積書情報５２が所定のファイルフォーマットのデータとして出力され、「印刷」の指示が行われると、帳票に印刷される。
【００８４】
次に、図１７乃至図２０を参照して、見積書作成処理において使用されるデータについて説明し、次いで、図２１を参照して見積書の１形式である内訳明細書５９について説明する。そして、図２２乃至図２８を参照して見積書作成処理において表示される画面について説明し、最後に図２９乃至図３５のフローチャートを参照して、見積書作成処理の動作について説明する。
【００８５】
まず、図１７を参照して部材データ５１について説明する。この部材データ５１は、ハードディスク装置３２０の部材データ記憶エリア３２１に記憶されている。設計図作成ソフトにおいて設計図を作成する際に付随して作成されるデータであり、設計図面の工事を実際に施工する際に必要な部材の情報が記録されている。図１７に示すように、「管理番号」、「自治体名」、「事業名」、「工事区名」、「レイヤＩＤ」、「レイヤ名」、「シンボルＩＤ」、「シンボル名」、「備考」、「単位」、「数量」等が記憶されている。尚、シンボルが部材を示している。
【００８６】
図１７に示す例では、○○県△△市の地域イントラネット基盤施設整備事業における××町公民館の設計図であり、管理番号「１」の部材は、レイヤＩＤ「Ｌ０００３」、レイヤ名「構内伝送路」、シンボルＩＤ「ＬＡＮ００１」、シンボル名「ＬＡＮケーブル」、備考「露出配線」の部材が２４ｍであるとしており、管理番号「２」の部材は、レイヤＩＤ「Ｌ０００３」、レイヤ名「構内伝送路」、シンボルＩＤ「ＬＡＮ００２」、シンボル名「ＬＡＮケーブル」、備考「メタルモール」の部材が２ｍであるとしており、管理番号「３」の部材は、レイヤＩＤ「Ｌ０００３」、レイヤ名「構内伝送路」、シンボルＩＤ「ＬＡＮ００３」、シンボル名「ＬＡＮケーブル」、備考「ワゴンモール」の部材が５ｍであるとしており、管理番号「４」の部材は、レイヤＩＤ「Ｌ０００３」、レイヤ名「構内伝送路」、シンボルＩＤ「ＬＡＮ００４」、シンボル名「ＬＡＮケーブル」、備考「ＰＦ管」の部材が３４ｍであるとしている。
【００８７】
そして、管理番号「５」の部材は、レイヤＩＤ「Ｌ０００６」、レイヤ名「伝送施設」、シンボルＩＤ「ＣＶ００００１」、シンボル名「ＣＶケーブル」の部材が１４ｍであるとしており、管理番号「６」の部材は、レイヤＩＤ「Ｌ０００６」、レイヤ名「伝送施設」、シンボルＩＤ「ＬＣ００００２」、シンボル名「光ケーブル  ＳＭ」の部材が１５９ｍであるとしており、管理番号「７」の部材は、レイヤＩＤ「Ｌ０００３」、レイヤ名「構内伝送路」、シンボルＩＤ「ＳＷ００００１」、シンボル名「Ｌ２Ｓｗｉｔｃｈ」の部材が１個であるとしており、管理番号「８」の部材は、レイヤＩＤ「Ｌ０００５」、レイヤ名「送受信装置」、シンボルＩＤ「ＫＩ００００９」、シンボル名「Ｃ型ＫＩＯＳＫ端末」の部材が１個であるとしている。
【００８８】
そして、管理番号「９」の部材は、レイヤＩＤ「Ｌ０００５」、レイヤ名「送受信装置」、シンボルＩＤ「ＰＣ００００５」、シンボル名「端末」の部材が１個であるとしており、管理番号「１０」の部材は、レイヤＩＤ「Ｌ０００６」、レイヤ名「伝送施設」、シンボルＩＤ「ＬＢ００００２」、シンボル名「成端箱」の部材が１個であるとしており、管理番号「１１」の部材は、レイヤＩＤ「Ｌ０００６」、レイヤ名「伝送施設」、シンボルＩＤ「ＭＤ０００１０」、シンボル名「メディアコンバータ」の部材が１個であるとしており、管理番号「１２」の部材は、レイヤＩＤ「Ｌ０００６」、レイヤ名「伝送施設」、シンボルＩＤ「ＯＴ００００１」、シンボル名「壁貫通」の部材が１個であるとしており、管理番号「１３」の部材は、レイヤＩＤ「Ｌ０００６」、レイヤ名「伝送施設」、シンボルＩＤ「ＯＴ００００３」、シンボル名「ＯＡタップ」の部材が２個であるとしている。
【００８９】
次に、図１８乃至図２０を参照して見積書情報５２について説明する。この見積書情報５２１〜５２３は、ハードディスク装置３２０の見積書情報記憶エリア３２５に記憶されている。また、通常ある工事について、その工事が行われる場所や施設により複数の設計図が作成される。見積書情報５２は１つの設計図に付き１つの見積書情報が作成されることになるので、１つの工事について複数の見積書情報が存在することとなる。尚、本実施の形態では、１つの工事についてその「内訳」という形で複数の見積書情報が登録される。
【００９０】
図１８に示す見積書情報５２１は、図１７に示した部材データ５１から生成された見積書情報である。「品目コード」には「シンボルＩＤ」がセットされ、「品名」には「シンボル名」がセットされ、「単位」には「単位」がセットされ、「数量」には「数量」がセットされ、「備考」には「備考」がセットされている。尚、見積書情報５２１には、今後の処理で利用する項目として「規格・寸法」、「単位数量」、「単価」、「費用」等が設けられている。
【００９１】
図１８に示す例では、番号「１」の部材は、品目コードに「ＬＡＮ００１」、品名に「ＬＡＮケーブル」、備考に「露出配線」、数量に「２４」、単位に「ｍ」がセットされ、番号「２」の部材は、品目コードに「ＬＡＮ００２」、品名に「ＬＡＮケーブル」、備考に「メタルモール」、数量に「２」ｍがセットされ、番号「３」の部材は、品目コードに「ＬＡＮ００３」、品名に「ＬＡＮケーブル」、備考に「ワゴンモール」、数量に「５」ｍがセットされ、番号「４」の部材は、品目コードに「ＬＡＮ００４」、品名に「ＬＡＮケーブル」、備考に「ＰＦ管」、数量に「３４」ｍがセットされ、番号「５」の部材は、品目コードに「ＣＶ００００１」、品名に「ＣＶケーブル」、数量に「１４」ｍがセットされ、番号「６」の部材は、品目コードに「ＬＣ００００２」、品名に「光ケーブル  ＳＭ」、数量に「１５９」ｍがセットされている。
【００９２】
そして、番号「７」の部材は、品目コードに「ＳＷ００００１」、品名に「Ｌ２Ｓｗｉｔｃｈ」、数量に「１」個がセットされ、番号「８」の部材は、品目コードに「ＫＩ００００９」、品名に「Ｃ型ＫＩＯＳＫ端末」、数量に「１」個がセットされ、番号「９」の部材は、品目コードに「ＰＣ００００５」、品名に「端末」、数量に「１」個がセットされ、番号「１０」の部材は、品目コードに「ＬＢ００００２」、品名に「成端箱」、数量に「１」個がセットされ、番号「１１」の部材は、品目コードに「ＭＤ０００１０」、品名に「メディアコンバータ」、数量に「１」個がセットされ、番号「１２」の部材は、品目コードに「ＯＴ００００１」、品名に「壁貫通」、数量に「１」個がセットされ、番号「１３」の部材は、品目コードに「ＯＴ００００３」、品名に「ＯＡタップ」、数量に「２」個がセットされている。
【００９３】
そして、この見積書情報５２１に対して「複合品目入力」が行われると、複合品目のデータが追加される。図１９に示す例では、番号「１」のデータには、番号「１−１」の複合明細データが追加されている。さらに、番号「１」のデータには、単価「４６」がセットされており、番号「１−１」のデータには、品目コードに「７０３０００１」、品名に「配線工事費」、規格・寸法に「電工」、数量に「０．４」、単位に「人日」、単価「１３６００」がセットされている。番号「２」のデータには、番号「２−１」、番号「２−２」の複合明細データが追加されている。さらに、番号「２」のデータには、単価「４６」がセットされており、番号「２−１」のデータには、品目コードに「４０１０００１」、品名に「メタルモール」、規格・寸法に「Ａ型  １．８ｍ」、数量に「２」、単位数量に「０．５」、単位に「本」、単価「４２８」がセットされ、番号「２−２」のデータには、品目コードに「７０３０００１」、品名に「配線工事費」、規格・寸法に「電工」、数量に「０．１」、単位に「人日」、単価「１３６００」がセットされている。
【００９４】
そして、番号「３」のデータには、番号「３−１」、番号「３−２」の複合明細データが追加されている。さらに、番号「３」のデータには、単価「４６」がセットされており、番号「３−１」のデータには、品目コードに「４０１０００４」、品名に「ワゴンモール」、規格・寸法に「２号  １ｍ」、数量に「５」、単位数量に「１」、単位に「本」、単価「４５０」がセットされ、番号「３−２」のデータには、品目コードに「７０３０００１」、品名に「配線工事費」、規格・寸法に「電工」、数量に「０．４」、単位に「人日」、単価「１３６００」がセットされている。他の部材のデータについては省略されている。
【００９５】
そして、この見積書情報５２２に対して「計算」の指示が行われると、費用欄に算出された費用がセットされる。図２０に示す例では、番号「１」の費用が１１０４円、番号「１−１」の費用が５４４０円、番号「２」の費用が９２円、番号「２−１」の費用が４２８円、番号「２−２」の費用が１３６０円、番号「３」の費用が２３０円、番号「３−１」の費用が２２５０円、番号「３−２」の費用が５４４０円となっており、他のデータについては省略されている。
【００９６】
次に、図２１を参照して、印刷された内訳明細書５９について説明する。見積書には、その出力形式の違いによりいくつかの種類が存在する。この内訳明細書５９はその内の１つの例であり、図２１に示す例は、××町公民館での工事の内訳明細書５９であり、部材データ５１の施設・設備費項目毎に小計が算出され、最後に合計が表示されている。また、各部材については部材の価格と複合品目の価格とが別々に記載されている。尚、最終的に出力される見積書５４の表示形式や見積書データ５３のデータ形式は、見積書５４又は見積書データ５３を提出する先に指定されている形式を用いればよく、図２１に示す例に限らない。各部材についての価格は、図２１の例のように、部材の価格と複合品目の価格とを別々に記載するのみでもよいが、合計額も記載するようにしたり、合計額のみを記載するようにしたりしてもよい。
【００９７】
このように、ある部材の費用として部材自体の価格だけでなく、部材に付随して発生する複合品目の価格もあわせて費用（複合単価）が算出されている。例えば、図２１に示す例では、「端末」について、部材である端末自体の価格（図２１の例では１４２，８００円）だけでなく、複合品目である「設置調整費」の価格（図２１の例では１１，３７５円）をも費用として参入されている。
【００９８】
次に、図２２乃至図２８を参照して見積書作成処理において表示される画面について説明する。まず、図２２を参照して見積一覧画面６０１について説明する。見積一覧画面６０１には、データシート部６１４が設けられており、既に作成されている見積書情報５２のリストが表示される。そして、データシート部６１４の下には、新規ボタン６１１、編集ボタン６１２、削除ボタン６１３、終了ボタン６１８が設けられている。ここで、データシート部６１４に表示されている見積書情報５２を選択し、編集ボタン６１２を選択すると、明細入力画面６０６（図２６参照）が表示されてその見積書情報５２を編集することができる。また、編集ボタン６１２の左にある新規ボタン６１１を選択すると、新しい見積書情報５２を作成するための概要入力画面６０２（図２３参照）が表示される。また、削除ボタン６１３を選択すると、データシート部６１４で選択されている見積書情報５２が削除される。また、終了ボタン６１８を選択すると、見積書作成処理は終了する。
【００９９】
次に、図２３を参照して概要入力画面６０２について説明する。図２３に示すように、概要入力画面６０２の入力欄６２９には、見積書の基本情報となる入力項目が種々設けられている。例えば、「見積番号」、「表題」、「件名」、「摘要」、「備考」、「作成日付」、「更新日付」である。そして、入力欄６２９の下には、計算ボタン６２６、表示欄６２７、データ種類欄６２０、マスタ更新ボタン６２８が設けられており、その下に戻るボタン６２１、内訳ボタン６２２、明細ボタン６２３、表示ボタン６２４、印刷ボタン６２５が設けられている。内訳ボタン６２２を選択すると内訳入力画面６０３（図２４参照）が表示され、明細ボタン６２３を選択すると明細入力画面６０６（図２６参照）が表示され、表示ボタン６２４を選択すると印刷プレビュー画面（図示外）が表示され、印刷ボタン６２５を選択すると印刷メニュー画面６０８（図２８参照）が表示される。また、指標単価情報２０では、所定の地域（本実施の形態では、都道府県）毎にデータが記憶されている。そこで、データ種類欄６２０により使用する地域を選択することができる。そして、マスタ更新ボタン６２８が選択されると、データ種類欄６２０で選択されているデータが使用データとして指定される。図２３に示す例では、東京都が選択されているので、マスタ更新ボタン６２８が選択されると、東京都の指標単価情報２０のデータが使用されることになる。
【０１００】
また、計算ボタン６２６を選択すると見積書情報記憶エリア３２５に記憶されている見積書情報５２において費用の計算が行われる。そして、表示欄６２７は見積書情報５２における費用の計算が「未計算」か「計算済み」かを示しており、計算ボタン６２６の選択により計算が行われると、見積書情報記憶エリア３２５に記憶されている見積書情報５２の費用欄等に計算結果が書き込まれ（見積書情報５２３）、表示欄６２７の表示が「未計算」から「計算済み」となる。また、戻るボタン６２１が選択されると、見積一覧画面６０１へ戻る。
【０１０１】
次に、図２４を参照して内訳入力画面６０３について説明する。内訳入力画面６０３では、概要入力画面６０２に表示されていた工事の各設計図についての見積書情報のリストがデータシート部６３４に表示される。そして、データシート部６３４の下には、戻るボタン６３１、明細ボタン６３２、外部明細読込ボタン６３３が設けられている。そこで、外部明細読込ボタン６３３が選択されると、部材データ５１を外部からファイルを指定して読み込むことができる。そして、外部明細読込画面（図示外）が表示されるので、読み込むファイルの指定を行う。外部明細読込画面においてファイルが指定され、確定ボタン（図示外）が選択されると、指定されたファイルのどの項目を、見積書情報５２のどの項目に読み込むのかを指定するためのフィールド選択画面６０５（図２５参照）が表示される。
【０１０２】
図２５に示すように、フィールド選択画面６０５の左側には入力側項目欄６５２、右側には見積書情報側項目欄６５３が設けられており、その間に設定ボタン６５４、解除ボタン６５５、全解除ボタン６５７が設けられている。また、入力側項目欄６５２の上部には入力元ファイル欄６５１が表示されており、見積書情報側項目欄６５３の下には確定ボタン６５６が表示されている。入力側項目欄６５２の１つの項目と、見積書情報側項目欄６５３の１つの項目とを選択し、設定ボタン６５４を選択すると、入力側項目欄６５２の項目が見積書情報側項目欄６５３の項目の右側欄に表示され、入力側項目欄６５２からは消去される。また、見積書情報側項目欄６５３において、入力側項目欄６５２から結び付けられた項目を選択し、解除ボタン６５５を選択すると、その項目の結び付けは解除されて、見積書情報側項目欄６５３から消去されて、入力側項目欄６５２に表示される。また、全解除ボタン６５７を選択すると見積書情報側項目欄６５３において結び付けられている全ての項目の結び付けは解除されて、見積書情報側項目欄６５３から消去されて、入力側項目欄６５２に表示される。例えば、入力側項目欄６５２において「シンボル名称」を選択し、見積書情報側項目欄６５３において「品名」を選択して設定ボタン６５４を選択すると、図２５に示すように、「品名」の右欄に「シンボル名称」が表示される。
【０１０３】
そして、確定ボタン６５６を選択することにより、部材データ５１と見積書情報５２との各項目の繋がりが決定され、部材データ５１の内容が反映された見積書情報５２１（図１８参照）が生成される。そして、生成された見積書情報５２１が内訳入力画面６０３のデータシート部６３４へ表示される。そして、内訳入力画面６０３（図２４参照）において明細ボタン６３２が選択されると、データシート部６３４にて選択されている内訳の明細入力画面６０６（図２６参照）が表示される。
【０１０４】
次に、図２６を参照して明細入力画面６０６について説明する。図２６に示すように、明細入力画面６０６の上部には、その見積書の内訳番号及び内訳名が表示されており、画面中央には、見積書情報を表示するデータシート部６６４が設けられている。そして、データシート部６６４の下には戻るボタン６６１、複合品目ボタン６６２、登録ボタン６６６、削除ボタン６６７が設けられている。そして、この複合品目ボタン６６２を選択することにより複合品目入力画面６０７（図２７参照）が表示される。
【０１０５】
また、明細の変更を行う場合には、データシート部６６４において変更したい明細（行）を選択し、キーボード３１５等で入力する。また、新しい明細を追加する際には、最後の下の空行を選択し各項目を入力する。また、明細を削除する際には、削除したい行を選択し、削除ボタン６６７を選択することにより、データシート部６６４から削除される。そして、登録ボタン６６６が選択されると、データシート部６６４の内容がＨＤＤ３２０の見積書情報記憶エリア３２５へ反映される（見積書情報５２１）。
【０１０６】
また、図２７に示すように、複合品目入力画面６０７では、上部にその見積書の内訳番号及び内訳名が表示されており、画面中央には、見積書情報を表示するデータシート部６７４が設けられている。その下には戻るボタン６７１、複合品目読込ボタン６７２、登録ボタン６７６、削除ボタン６７７が設けられている。この複合品目読込ボタン６７２が選択されると、指標単価情報２０が参照されて、見積書情報５２１の明細で、複合品目が存在する品目の複合品目が見積書情報５２１に追加されて記憶される。この際には見積書情報５２２（図１９参照）のようになる。そして、追加された複合品目のみがデータシート部６７４に表示される。
【０１０７】
ここで、データシート部６７４に表示されている複合品目の変更を行う場合には、データシート部６７４において変更したい複合品目の項目を選択し、キーボード３１５等で入力する。また、新しい複合品目を追加する際には、最後の下の空行を選択し各項目を入力する。また、複合品目を削除する際には、削除したい複合品目を選択し、削除ボタン６７７を選択することにより、データシート部６７４から削除され、データシート部６７４からも削除される。そして、登録ボタン６７６が選択されると、データシート部６７４の内容がＨＤＤ３２０の見積書情報記憶エリア３２５へ反映される（見積書情報５２２）。そして、戻るボタン６７１が選択されると、明細入力画面６０６へ戻るが、この際には、見積書情報５２には新しく複合品目のデータが追加されているので、データシート部６７４には複合品目のデータが追加された情報が表示されることとなる。
【０１０８】
次に、図２８を参照して印刷メニュー画面６０８のイメージ図について説明する。この印刷メニュー画面６０８は、概要入力画面６０２（図２３参照）において印刷ボタン６２５が選択された際に表示される。ここでは、見積書情報５２をファイル又は帳票の形式で出力することができる。画面にはファイル出力欄６８１と印刷欄６８２とが設けられており、ファイル出力欄６８１において、フォルダ名及びファイル名を指定し、出力ボタン６８５を選択すると、指定されたフォルダに、指定されたファイル名で見積書情報５２が見積書データ５３として記憶される。この見積書データ５３は、他のソフトウェイアでも使用できるようなファイルフォーマット（例えば、ｃｓｖフォーマットやテキストフォーマット、表計算ソフト対応フォーマット）で出力される。また、印刷欄６８２には、印刷する書類の形式を指定するチェックボックスが「内訳書」、「明細書」、「代価表」、「代価表（内訳項目なし）」の４つ設けられており、チェックされている形式の帳票が作成される。そして、印刷ボタン６８３が選択されれば、見積書作成装置３００に接続しているプリンタ３１８に印刷データが出力され、プリンタ３１８で印刷される。また、プレビュー表示ボタン６８４が選択されると、印刷データにより印刷イメージが作成されてディスプレイ３１４に表示される。
【０１０９】
次に、図２９のフローチャートを参照して、見積書作成処理の主な動作について説明する。この見積書作成処理は、見積書作成プログラムが起動されると開始される。まず、インターネット５によりサービス提供会社１のＷｅｂサーバ１０２に接続し、自身のハードディスク装置３２０の品目データ記憶エリア３２２に記憶されている品目データ２２，複合品目データ記憶エリア３２３に記憶されている複合品目データ２３，複合明細データ記憶エリア３２４に記憶されている複合明細データ２４が最新のものであるかの確認処理が行われる（Ｓ１）。この確認は、自身の指標単価情報２０の作成日付をＷｅｂサーバ１０２に送信し、Ｗｅｂサーバ１０２においてその日付のデータが最新のものであるか否かの判断を行い、最新のものである場合には「ＯＫ」を示すコードが見積書作成装置に返信され、最新のものでない場合には最新の指標単価情報２０が送信されるようにしてもよい。または、見積書作成装置３００からはＷｅｂサーバ１０２へ問い合わせの信号を送信し、Ｗｅｂサーバ１０２からは最新の指標単価情報の日付を返信して、見積書作成装置３００において自身の指標単価情報２０の日付と返信された日付を比較し、最新のものでなければＷｅｂサーバ１０２に最新の指標単価情報２０を要求するようにしてもよい。
【０１１０】
次いで、見積一覧画面６０１が表示される（Ｓ２）。そして「新規」の指示がなされれば（Ｓ３：ＹＥＳ）、概要処理が行われる（Ｓ５、図３０参照）。そして、概要処理が終了したら、Ｓ３へ戻る。また、「新規」の指示がなく（Ｓ３：ＮＯ）、「終了」の指示がなされれば（Ｓ４：ＹＥＳ）、見積一覧画面６０１を閉じる、編集中の見積書情報を保存する等の終了処理が行われ（Ｓ７）、処理は終了する。「新規」の指示も、「終了」の指示もなければ（Ｓ３：ＮＯ，Ｓ４：ＮＯ）、見積一覧画面６０１でのその他の処理が行われ（Ｓ６）、Ｓ３へ戻り、繰り返しＳ３〜Ｓ６の処理が行われる。
【０１１１】
次に、図３０のフローチャートを参照して概要処理（図２９，Ｓ５）の主な動作について説明する。見積一覧画面６０１において「新規」の指示がなされ（図２９，Ｓ３：ＹＥＳ）、概要処理が開始されると、概要入力画面６０２が表示される（Ｓ１１）、そして、「内訳」の指示がなされた場合には（Ｓ１２：ＹＥＳ）、内訳処理が行われ（Ｓ１７、図３１参照）、終了したらＳ１２へ戻る。また、「明細」の指示がなされた場合には（Ｓ１２：ＮＯ，Ｓ１３：ＹＥＳ）、明細処理が行われ（Ｓ１８、図３３参照）、終了したらＳ１２へ戻る。また、「計算」の指示が行われたら（Ｓ１２：ＮＯ，Ｓ１３：ＮＯ，Ｓ１４：ＹＥＳ）、計算処理が行われる（Ｓ１９）。そして、Ｓ１２へ戻る。また、「印刷」の指示が行われたら（Ｓ１２：ＮＯ，Ｓ１３：ＮＯ，Ｓ１４：ＮＯ，Ｓ１５：ＹＥＳ）、印刷処理が行われ（Ｓ２０、図３５参照）、Ｓ１２へ戻る。また、「戻る」の指示が行われたら（Ｓ１２：ＮＯ，Ｓ１３：ＮＯ，Ｓ１４：ＮＯ，Ｓ１５：ＮＯ，Ｓ１６：ＹＥＳ）、概要入力画面６０２を閉じる等の戻り処理が行われ（Ｓ２２）、見積書作成処理へ戻り、Ｓ３へ進む。また、いずれの指示も行われていない場合には（Ｓ１２：ＮＯ，Ｓ１３：ＮＯ，Ｓ１４：ＮＯ，Ｓ１５：ＮＯ，Ｓ１６：ＮＯ）、概要入力画面６０２でのその他の処理が行われて（Ｓ２１）、Ｓ１２へ戻る。そして、繰り返しＳ１２〜Ｓ２１の処理が行われる。
【０１１２】
尚、Ｓ１９における計算処理では、見積書情報５２２の状態において、費用が算出され見積書情報５２３（図２０参照）のように費用欄に費用がセットされる。例えば、番号「１」のＬＡＮケーブルでは、数量が２４ｍ、単価が４６円であるので、４６×２４＝１１０４円となる。また、番号「１−１」の配線工事費では、数量が０．４人日で、単価が１３６００円であるので、１３６００×０．４＝５４４０円となる。また、番号「２−１」のメタルモールでは、単位数量が０．５、数量が２、単価が４２８円なので、４２８×０．５×２＝４２８円となる。尚、単価や数量の他に歩掛等がある場合にはこれらの値も考慮した計算が行われる。
【０１１３】
次に、図３１のフローチャートを参照して、内訳処理（図３０，Ｓ１７）について説明する。見積一覧画面６０１において「内訳」の指示がなされて（図３０，Ｓ１２：ＹＥＳ）、内訳処理が開始されると、内訳入力画面６０３表示される（Ｓ３１）。そして、「外部明細読込」の指示がなされた場合には（Ｓ３２：ＹＥＳ）、外部明細読込処理が行われ（Ｓ３５、図３２参照）、終了したらＳ３２へ戻る。また、「明細」の指示がなされたら（Ｓ３２：ＮＯ，Ｓ３３：ＹＥＳ）、明細処理（図３３参照）へ進む。また「戻る」の指示がなされたら（Ｓ３２：ＮＯ，Ｓ３３：ＮＯ，Ｓ３４：ＹＥＳ）、内訳入力画面６０３を閉じる等の戻り処理が行われ（Ｓ３７）、概要処理へ戻る。また、いずれの指示も行われていない場合には（Ｓ３２：ＮＯ，Ｓ３３：ＮＯ，Ｓ３４：ＮＯ）、内訳入力画面６０３でのその他の処理が行われて（Ｓ３６）、Ｓ３２へ戻る。
【０１１４】
次に、図３２のフローチャートを参照して、外部明細読込処理（図３１，Ｓ３５）について説明する。内訳入力画面６０３において「外部明細読込」の指示がなされて（図３１，Ｓ３２：ＹＥＳ）、外部明細読込処理が開始されると、外部明細読込画面６０４が表示される（Ｓ４１）。そして、「キャンセル」の指示がなされれば（Ｓ４２：ＹＥＳ）、内訳処理へ戻るが、「キャンセル」の指示がなければ（Ｓ４２：ＮＯ）、読込ファイルの指定入力の受付が行われたか否かの判断が行われる（Ｓ４３）。読込ファイル指定の入力がされていなければ（Ｓ４３：ＮＯ）、Ｓ４２へ戻る。読込ファイル指定の入力されていれば（Ｓ４３：ＹＥＳ）、指定ファイルの読込が行われ（Ｓ４５）、フィールド選択画面６０５（図２５参照）が表示される（Ｓ４６）。
【０１１５】
そして、フィールド選択画面６０５において、部材データ５１のデータ項目と見積書情報５２のデータ項目との結び付けを行うための項目指定の操作の入力受付が行われ（Ｓ４７）、「確定」の指示がなされたか否かの判断が行われる（Ｓ４８）。そして、「確定」の指示がなされていれば（Ｓ４８：ＹＥＳ）、フィールド選択画面６０５及び外部明細読込画面６０４は閉じられ（Ｓ５０）、フィールド選択画面６０５で指定されたように、部材データ５１のデータ項目が見積書情報５２のデータ項目に代入されて、見積書情報５２１が作成される（Ｓ５１）。そして、内訳入力画面６０３のデータシート部６３４の表示が見積書情報５２１の内容に基づいて更新され（Ｓ５２）、内訳処理へ戻る。尚、「確定」の指示がなされない場合には（Ｓ４８：ＮＯ）、「キャンセル」の指示がなされた否かの判断が行われ（Ｓ４９）、「キャンセル」の指示もなされていなければ（Ｓ４９：ＮＯ）、Ｓ４７へ戻り、引き続き項目指定の操作の入力受付が行われる（Ｓ４７）。また、「キャンセル」が選択された場合には（Ｓ４２：ＹＥＳ，Ｓ４９：ＹＥＳ）、画面を閉じて内訳処理へ戻る。
【０１１６】
次に、図３３のフローチャートを参照して、明細処理について説明する。見積一覧画面６０１において「内訳」の指示がなされて（図３０，Ｓ１２：ＹＥＳ）、「明細」の指示がなされる（図３１，Ｓ３３：ＹＥＳ）、又は、見積一覧画面６０１において「明細」の指示がなされたら（図３０，Ｓ１３：ＹＥＳ）、明細入力画面６０６が表示される（Ｓ６１）。そして、「複合品目」の指示がなされたら（Ｓ６２：ＹＥＳ）、複合品目処理が行われる（Ｓ６４、図３４参照）。そして終了したら、Ｓ６２へ戻る。また、「戻る」の指示がなされたら（Ｓ６２：ＮＯ，Ｓ６３：ＹＥＳ）、明細入力画面６０６を閉じる等の戻り処理が行われ（Ｓ６６）、概要処理へ戻る。また、いずれの指示も行われていない場合には（Ｓ６２：ＮＯ，Ｓ６３：ＮＯ）、明細入力画面６０６でのその他の処理が行われて（Ｓ６５）、Ｓ６２へ戻る。
【０１１７】
次に、図３４のフローチャートを参照して、複合品目処理（図３３，Ｓ６４）について説明する。明細入力画面６０６において「複合品目」の指示がなされて（図３３，Ｓ６２：ＹＥＳ）、複合品目処理が開始されたら、見積書情報５２１の１つ目のレコードが読み込まれる（Ｓ７２）。そして、全てのレコードの処理はまだ終了していないので（Ｓ７３：ＮＯ）、品目データ２２から該当品目のレコード（「品名」、「規格・寸法」が同じレコード）が読み出され、その単価が見積書情報５２１の単価に代入される（Ｓ７４）。そして、そのレコードに複合品目コードがセットされているか否かの判断が行われる（Ｓ７５）。
【０１１８】
複合品目コードがセットされていなければ（Ｓ７５：ＮＯ）、その部材は複合品目を有さないので、複合品目のデータを追加する必要はない。そこで、Ｓ７２へ進み、次のレコードが１つ読み出され（Ｓ７２）、そのレコードについての処理が行われる（Ｓ７３〜Ｓ７８）。また、複合品目コードがセットされていれば（Ｓ７５：ＹＥＳ）、複合品目データ２３から該当複合品目コードのレコードが読み出され（Ｓ７６）、次いで、複合明細データ２４からも該当複合品目コードのレコードが読み出される（Ｓ７７）。そして、見積書情報に読み出された複合品目の個数だけレコードが追加され、そこには読み出された情報がセットされる（Ｓ７８）。そして、Ｓ７２へ、戻り、次のレコードの処理が行われる。
【０１１９】
このようにして、全てのレコードの処理が終了したら（Ｓ７３：ＹＥＳ）、見積書情報５２３のような複合品目が追加された見積書情報が作成されている。そこで、明細入力画面６０６のデータシート部６６４の表示が見積書情報５２３の内容に基づいて更新される（Ｓ７９）。そして、明細処理へ戻る。
【０１２０】
図３５のフローチャートを参照して、印刷処理（図３０，Ｓ２０）について説明する。見積一覧画面６０１において「印刷」の指示が行われたら（図３０、Ｓ１５：ＹＥＳ）、印刷メニュー画面６０８が表示される（Ｓ８１）。そして、「ファイル出力」の指示がなされたら（Ｓ８２：ＹＥＳ）、ファイル出力欄６８１のフォルダ名で指定されているフォルダに、指定されているファイル名で見積書情報５２を書き出して見積書データ５３が作成され（Ｓ８６）、印刷メニュー画面６０８を閉じる等の戻り処理が行われ（Ｓ９２）、概要処理のＳ１２へ戻る。
【０１２１】
また、「印刷」指示がなされたら（Ｓ８２：ＮＯ，Ｓ８３：ＹＥＳ）、印刷欄６８２のチェックボックスで指定されている形式の帳票の印刷データが、見積書情報５２に基づいて作成され（Ｓ８７）、プリンタ３１８へ出力される（Ｓ８８）。そして、戻り処理が行われ（Ｓ９２）、概要処理のＳ１２へ戻る。また、「プレビュー表示」の指示がなされたら（Ｓ８２：ＮＯ，Ｓ８３：ＮＯ，Ｓ８４：ＹＥＳ）、印刷データを作成する際と同様に、印刷欄６８２のチェックボックスで指定されている形式の帳票の印刷イメージが、見積書情報５２に基づいて作成され（Ｓ８９）、プレビュー画面（図示外）がディスプレイ３１４に表示される（Ｓ９０）。そして戻り処理が行われ（Ｓ９２）、概要処理のＳ１２へ戻る。尚、キャンセル指示が行われたら（Ｓ８２：ＮＯ，Ｓ８３：ＮＯ，Ｓ８４：ＮＯ，Ｓ８５：ＹＥＳ）、戻り処理が行われ（Ｓ９２）、概要処理のＳ１２へ戻る。また、いずれの指示も行われなければ（Ｓ８２：ＮＯ，Ｓ８３：ＮＯ，Ｓ８４：ＮＯ，Ｓ８５：ＮＯ）、その他の処理が行われて（Ｓ９１）、Ｓ８２へ戻る。
【０１２２】
以上のようにして、指標単価情報がそれぞれの部材に対する複合品目の情報も有しているので、単なる物品の売買ではなく、設備の工事という１つの項目についてその付随部材や工程に対する人件費等の複合品目が発生する複雑な見積書の作成が可能となる。
【０１２３】
尚、上記実施の形態において、見積書作成装置３００が「第２の装置」に該当し、見積書作成装置３００のハードディスク装置３２０の部材データ記憶エリア３２１が「設計情報記憶手段」に該当し、見積書情報記憶エリア３２５が「見積書情報記憶手段」に該当する。また、図２９に示す見積書作成処理のＳ１の処理を行うＣＰＵ３１０が「入力手段」に相当し、図３２に示す外部明細読込処理のＳ５１の処理を行うＣＰＵ３１０が「見積書情報作成手段」に相当し、図３４に示す複合品目処理のＳ７８の処理を行うＣＰＵ３１０が「複合品目追加手段」に相当し、Ｓ７４及びＳ７８の処理を行うＣＰＵ３１０が「単価代入手段」に相当し、図３０に示す概要処理のＳ１９の処理を行うＣＰＵ３１０が「価格算出手段」に相当する。また、図３５に示す印刷処理のＳ８６，Ｓ８７，Ｓ８９の処理を行う際に、小計や合計を計算するＣＰＵ３１０も「価格算出手段」に相当する。図３５に示す印刷処理のＳ８６，Ｓ８７，Ｓ８８，Ｓ８９，Ｓ９０の処理を行うＣＰＵ３１０が「外部出力手段」に相当する。
【０１２４】
尚、本発明の見積書作成システム、指標単価情報作成装置及び見積書作成装置は、上記した実施の形態に限定されるものではなく、本発明の要旨を逸脱しない範囲内において種々変更を加え得ることは勿論である。上記実施の形態では、インターネット５を介して見積書作成装置３００は指標単価情報２０を指標単価作成装置１００から取得しているが、指標単価情報２０の取得方法はこれに限らない。例えば、ＣＤ−ＲＯＭやＤＶＤなどの記憶媒体に記憶された指標単価情報２０を入力するようにしてもよい。また、指標単価情報２０を見積書作成装置３００に全て記憶させるのではなく、処理中に必要に応じてインターネット５を経由してサービス提供会社１のデータベース１０１に接続し、読み出すようにしてもよい。また、上記実施の形態において使用されている情報やデータの項目名についてはこれに限らず、その他の名称を用いてもよいことは言うまでもない。
【産業上の利用可能性】
【０１２５】
本発明の見積書作成システム、指標単価情報作成装置及び見積書作成装置は、設計図に記載されている設備の工事に掛かる費用の見積書のように、単なる物品の販売のような単純な見積書ではなく、１つの項目についてその付随部材や工程に対する人件費等の複合品目が発生する複雑な見積書を作成するための指標単価を決定したり、見積書を作成したりする際に有用である。
【図面の簡単な説明】
【０１２６】
【図１】見積書作成サービスのイメージ図である。
【図２】見積書作成システムの関係図である。
【図３】指標単価作成装置１００の電気的構成を示すブロック図である。
【図４】見積書作成装置３００の電気的構成を示すブロック図である。
【図５】単品収集単価情報２１１の模式図である。
【図６】複合品目収集単価情報２１２の模式図である。
【図７】品目データ２２の模式図である。
【図８】複合品目データ２３の模式図である。
【図９】複合明細データ２４の模式図である。
【図１０】品目登録画面５０１のイメージ図である。
【図１１】品目参照画面５０２のイメージ図である。
【図１２】複合品目登録画面５０３のイメージ図である。
【図１３】複合品目参照画面５０４のイメージ図である。
【図１４】複合明細登録画面５０５のイメージ図である。
【図１５】複合明細参照画面５０６のイメージ図である。
【図１６】見積書作成処理６１における画面の推移図である。
【図１７】部材データ５１の模式図である。
【図１８】外部読込処理後の見積書情報５２１の模式図である。
【図１９】複合品目入力後の見積書情報５２２の模式図である。
【図２０】計算処理後の見積書情報５２３の模式図である。
【図２１】印刷された内訳明細書５９のイメージ図である。
【図２２】見積一覧画面６０１のイメージ図である。
【図２３】概要入力画面６０２のイメージ図である。
【図２４】内訳入力画面６０３のイメージ図である。
【図２５】フィールド選択画面６０５のイメージ図である。
【図２６】明細入力画面６０６のイメージ図である。
【図２７】複合品目入力画面６０７のイメージ図である。
【図２８】印刷メニュー画面６０８のイメージ図である。
【図２９】見積書作成処理のフローチャートである。
【図３０】概要処理のフローチャートである。
【図３１】内訳処理のフローチャートである。
【図３２】外部明細読込処理のフローチャートである。
【図３３】明細処理のフローチャートである。
【図３４】複合品目処理のフローチャートである。
【図３５】印刷処理のフローチャートである。
【符号の説明】
【０１２７】
１  サービス提供会社
２  部材メーカ
３  会員
５  インターネット
１１  収集単価情報入力手段
１２  採用情報指定手段
１３  指標単価入力手段
２０  指標単価情報
２１  収集単価情報
２２  品目データ
２３  複合品目データ
２４  複合明細データ
３２  収集単価情報画面  
３３  代表値画面
４１  代表値算出処理
４２  指標単価情報作成処理
５１  部材データ
５２  見積書情報
５３  見積書データ
５４  見積書
５９  内訳明細書
６０  明細入力画面
６１  見積書作成処理
１００  指標単価作成装置
１０１  データベース
１０２  サーバ
１１０  ＣＰＵ
１２１  収集単価情報記憶エリア
１２２  品目データ記憶エリア
１２３  複合品目データ記憶エリア
１２４  複合明細データ記憶エリア
２１１  単品収集単価情報
２１２  複合品目収集単価情報
３００  見積書作成装置
３１０  ＣＰＵ
３２１  部材データ記憶エリア
３２２  品目データ記憶エリア
３２３  複合品目データ記憶エリア
３２４  複合明細データ記憶エリア
３２５  見積書情報記憶エリア
５０１  品目登録画面
５０２  品目参照画面
５０３  複合品目登録画面
５０４  複合品目参照画面
５０５  複合明細登録画面
５０６  複合明細参照画面
５２１  見積書情報
５２２  見積書情報
５２３  見積書情報
６０１  見積一覧画面
６０２  概要入力画面
６０３  内訳入力画面
６０５  フィールド選択画面
６０６  明細入力画面
６０７  複合品目入力画面
６０８  印刷メニュー画面
【図１】
2006244351.tif 000003
【図２】
2006244351.tif 000004
【図３】
2006244351.tif 000005
【図４】
2006244351.tif 000006
【図５】
2006244351.tif 000007
【図６】
2006244351.tif 000008
【図７】
2006244351.tif 000009
【図８】
2006244351.tif 000010
【図９】
2006244351.tif 000011
【図１０】
2006244351.tif 000012
【図１１】
2006244351.tif 000013
【図１２】
2006244351.tif 000014
【図１３】
2006244351.tif 000015
【図１４】
2006244351.tif 000016
【図１５】
2006244351.tif 000017
【図１６】
2006244351.tif 000018
【図１７】
2006244351.tif 000019
【図１８】
2006244351.tif 000020
【図１９】
2006244351.tif 000021
【図２０】
2006244351.tif 000022
【図２１】
2006244351.tif 000023
【図２２】
2006244351.tif 000024
【図２３】
2006244351.tif 000025
【図２４】
2006244351.tif 000026
【図２５】
2006244351.tif 000027
【図２６】
2006244351.tif 000028
【図２７】
2006244351.tif 000029
【図２８】
2006244351.tif 000030
【図２９】
2006244351.tif 000031
【図３０】
2006244351.tif 000032
【図３１】
2006244351.tif 000033
【図３２】
2006244351.tif 000034
【図３３】
2006244351.tif 000035
【図３４】
2006244351.tif 000036
【図３５】
2006244351.tif 000037